(57)【要約】【目的】不特定、多数人が進入、集合、通過、離散する交通機関の駅、デパート、劇場、競技場等の各種施設に設置されたエスカレータの手摺ベルト７４に、当該施設周りに係わる各種情報を表示、告知、伝達する情報表示テープを貼付する、構造が簡単で、操作の容易な手動式情報表示テープ貼付装置Ｘを提供する。【構造】垂直平行状左右側板１前後に、間隔調整可能な左右ガイドロール１４、１６を、その下部の同一平面上に可撓性前後ロール２１を夫々設け、垂直平行状左右側板１の上開き案内溝２に昇降及び回転可能に装架した情報表示テープロール４４から巻き戻した情報表示テープの端部を、第２操作者が手摺ベルト７４に貼付した後、第１操作者が情報表示テープ貼付装置Ｘの前後部６、７を把持して、エスカレータの階段を降りながら、停止する手摺ベルト７４に沿うように押し進めて、情報表示テープを手摺ベルト７４に貼付する。【選択図】図１
2007176699.tif 000002
【特許請求の範囲】
【請求項１】
垂直平行状左右側板（１、８１）の前後部に、前後部の把持部（６、７）及びエスカレータ又は動く歩道の手摺ベルト、各種施設周りの区画柵等の長尺材（７４、９１）にガイドされる、左右の垂直ガイドロール（１４、１６：１４Ｂ）を備える一対のガイドロールホルダ（１０、１０）と、その下部の同一平面上に、前後一対の平行状可撓性ロール（２１、２１）と、該可撓性前ロール（２１）の上位に、該可撓性前ロール（２１）と平行する第Ｉスペーサ（１７）と、該第１スペーサ（１７）の上位に上開き案内溝（２、８２）を夫々設けると共に、前記上開き案内溝（２、８２）に情報表示テープロール（４４）のねじ付き回転軸（２５）を昇降及び回転可能で、当該情報表示テープロール（４４）の前記第１スペーサ（１７）への当接により、当該情報表示テープロール（４４）から巻き戻す情報標示テープ（４５）に、適度な巻き戻し抵抗を発生させるようにしたことを特徴とする長尺材への情報表示テープ貼付装置。
【請求項２】
前記垂直平行状左右側板（１）の下部同一水平面上に設けた前後の可撓性ロール（２１、２１）間内側に、前記長尺材（７４、９１）よりやや広幅で、垂直状ブラシ足（４８）を備えるセンタブラシ（４５）と、該センタブラシ（４５）と前記可撓性後ロール（２１）との間に、水平状ブラシ足（５３）を備え、当該長尺材（７４、９１）よりやや高い高さ（Ｔ）の左右のサイドブラシ（５０、５０）を設けたことを特徴とする請求項１記載の長尺材への情報表示テープ貼付装置。
【請求項３】
前記センターブラシ（５０）の垂直状ブラシ足（５３）の下端部を、その上端部より適度に後退させると共に、前記左右サイドブラシ（５５）の下位の水平状ブラシ足（５８）を、その上位の水平状ブラシ足（５８）より適度に後退させたことを特徴とする請求項１又は２の何れかに記載の長尺材への情報表示テープ貼付装置。
【請求項４】
前記垂直平行状左右側板（１、８１）の上開き案内溝（２、８２）を、前記可撓性前ロール（２１）の軸心を含み、その直上方又はやや後傾上方に伸びる．平面に沿うように構成すると共に、前記第１スペーサ（１７）と平行し、当該第１スペーサ（１７）の前側下位で、前記可撓性前ロール（２１）より上位に第２スペーサ（１８）を、前記垂直平行状左右側板（１、８１）に設けたことを特徴とする請求項１〜３の何れかに記載の長尺材への情報表示テープ貼付装置。
【請求項５】
前記前後のガイドロールホルダ（１０、１０）の左右両側端部に、前記垂直平行状左右側板（１、８１）に対する当該前後ガイドホルダ（１０、１０）の上下方向節調節用縦穴（１１）を、また、該前後ガイドロールホルダ（１０、１０）の左右両側部に、前記前後の垂直平行状ガイドロール（１４、１６：１４Ｂ）の間隔調節用横穴（１２）を夫々設けたことを特徴とする請求項１〜４の何れかに記載の長尺材への情報表示テープ貼付装置。
【請求項６】
前記前後ガイドロール（１４、１６：１４Ｂ）の高さ、内径及び少なくとも上半部を夫々略同
2007176699.tif 000013
に、前後のガイドロール軸（１４Ａ、１６Ａ）を挿入して、前記前後ガイドロールホルダ（１０、１０）へ取付けたことを特徴とする請求項１〜５の何れかに記載の情報表示テープ貼付装置。
【請求項７】
前記垂直状前ガイドロール（１４、１４Ｂ）の下半部を、当該垂直状前ガイドロール（１４、１４Ｂ）の．上半部より膨出する凹弧状（１５）又は裁頭円錐状（１５Ｂ）に構成したことを特徴とする請求項６記載の長尺材への情報表示テープ貼付装置。
【請求項８】
前記垂直平行状左右側板（１、８１）前部の内側に前ハンドルを、若しくは該垂直平行状左右側板（１、８１）前部の左右何れかの外側に、交互に装脱可能に前ハンドル（６）を、また、前記．垂直平行状左右側板（１、８１）の後部内側に後ハンドル（７）を、夫々設けたことを特徴とする請求項１〜７の何れかに記載の長尺材への情報表示テープ貼付装置。
【請求項９】
2007176699.tif 000014
する．ねじ付き回転軸（２５）に、互いに係合する凹凸部（３４、３５）を備える一対の半割り筒状芯（３１、３１）．の端面（３３、３３）を対接させて、ねじ（３９、３９）締めした情報表示テープロール芯（３０）を、テープ押えフランジ（４０）及び位置合わせリング（４１）を介して取り付けたことを特徴とする請求項１〜８の何れかに記載の長尺材への情報表示テープ貼付装置。
【請求項１０】
前記垂直平行状左右側板（１、８１）の上縁部を中高弧状又は前高弧状（３、８３）に、また、その下縁部を前記垂直状前後ガイドロール（１４、１６）のカバーを兼ねる前後凸部（４、４）にすると共に、当該前後凸部（４、４）間に、当該情報表示テープ貼付装置（Ｘ〜Ｚ）を前記長尺材（７４、９１）に載置した状態において、当該長尺材（７４、９１）高さの５０％以上を露出させる凹部（５）を構成したことを特徴とする請求項１〜９の何れかに記載の長尺材への情報表示テープ貼付装置。
【請求項１１】
垂直平行状左右側板（１、８１）の前後に、左右両側部に垂直状ガイドロール（１４、１６：１４Ｂ）の間隔を調整可能に設けたガイドロールホルダ（１０）を、該垂直平行状左右側板（１、８１）下部の同一平面上の前後に、水平状可撓性ロール（２１）を夫々設け、該垂直平行状左右側板（１、８１）の前記可撓性前ロール（２１）上位の上開き案内溝（２、８２）に、裏面の接着剤層（４８）に剥離テープ（４９）が貼付され、表面のエスカレータ又は動く歩道の手摺ベルト、各種施設周りの区画柵等の長尺材（７４、９１）に係わる情報表示層（４７）を内側に巻き付けた情報標示テープロール（４４）との当接により、当該情報表示テープロール（４４）から巻き戻される報表示テープ（４５）に適度な巻き戻し抵抗を発生させると共に、昇降可能に装架した情報表示テープ貼付装置（Ｘ〜Ｚ）の前後部を、第１操作者（Ｐ１）が把持して停止する前記長尺材（７４、９１）の開放された一端部に配した後、前記情報表示テープロール（４４）と第１スペーサ（１７）との当接部から巻き戻した情報表示テープ（４５）の端部（４５Ａ）から、さらに、第２操作者（Ｐ２）が剥離テープ（４９）を剥離し、剥離テープ（４９）剥離後の情報表示テープ端部（４５Ａ）を、前記可撓性前ロール（２１）の下部を介して停止する長尺材（７４、９１）の開放された一端部に第２操作者（Ｐ２）が貼付した後、前記第１操作者（Ｐ１）が当該情報表示テープ貼付装置（Ｘ〜Ｚ）を前記長尺材（７４、９１）に沿って、その開放された他端部まで押進めて、当該情報表示テープ（４５）を停止する長尺材（７４、９１）に貼付する一方、この間に第２操作者（Ｐ２）が、遊離剥離テープ（４９Ａ）を適所へ排出させることを特徴とする長尺材への情報表示テープ貼付方法。
【請求項１２】
前記垂直平行状左右側板（１）の下部同一水平面上に設けた前後可撓性ロール（２１、２１）間の内側に、前記長尺材（７４、９１）よりやや広幅で、垂直状ブラシ足（４８）を備えるセンタブラシ（４５）と、該センタブラシ（４５）と前記可撓性後ロール（２１）との間に、水平状ブラシ足（５３）を備え、当該長尺材（７４、９１）よりやや高い高さ（Ｔ）の左右のサイドブラシ（５０、５０）を設け、当該情報表示テープ貼付装置（Ｘ、Ｙ）の進行による、前記可撓性前後ロール（２１）とセンタブラシ（４５）及び左右サイドブラシ（５０、５０）との協同により、前記情報標示テープ（４５）を前記長尺材（７４、９１）の頂側部（７５、７６）に貼付することを特徴とする請求項１１記載の長尺材への情報表示テープ貼付方法．。
【請求項１３】
前記垂直状前ガイドロール（１４、１４Ｂ）の下部を、その上部より膨出する凹弧状又は裁頭円錐状（１５、１５Ｂ）に構成した情報表示テープ貼付装置（Ｘ〜Ｚ）の前後把持部（６、７）を、第１操作者（Ｐ１）が把持して停止する長尺材（７４、９１）の開放された一端部に配し、該情報表示テープ貼付装置（Ｘ〜Ｚ）を、前記垂直状前ガイドロール（１４、１４Ｂ）下部の凹弧状又は裁頭円錐状膨出部（１５、１５Ｂ）周りの反時計方向に回動させて、その後部を停止する長尺材（７４、９１）の開放された一端緒部後面より上昇させた後、前記情報表示テープロール（４４）と第１スペーサ（１７）の当接部から巻き戻した情報表示テープ端部（４５Ａ）から、第２操作者（Ｐ２）が剥離テープ（４９）をさらに剥離する一方、該剥離テープ（４９）剥離後の情報表示テープ端部（４５Ａ）を第２スペーサ（１８）、可撓性前ロール（２１）の前側及びその下部を介して、後部の上昇する情報表示テープ貼付装置（Ｘ〜Ｚ）の下部と、当該長尺材（７４、９１）の開放された端部間に引き出し、この引き出した情報表示テープ（４５）の端部（４５Ａ）を第２操作者（Ｐ２）が、停止する長尺材（７４、９１）の開放された端部の頂側部（７５、７６）に貼付した後、後部の上昇する情報表示テープ貼付装置（Ｘ〜Ｚ）を、前記垂直状前ガイドロール（１４、１４Ｂ）下部の凹弧状又は裁頭円錐状膨出部（１５、１５Ｂ）周りの時計方向に反転、降下させて、停止する長尺材（７４、９１）の開放された端部と平行状にすると共に、可撓性前後ロール（２１、２１）及び垂直状センタブラシ（５０）により当該情報表示テープ（４５）の中央部を、また、垂直状左右サイドブラシ（５５）により、当該情報表示テープ（４５）の左右両側部を夫々押圧して、長尺材（７４、９１）の頂側部（７５、９２：７６、９３）に貼付することを特徴とする請求項１１又は１２の何れかに記載の長尺材への情報表示テープ貼付方法。
【請求項１４】
エスカレータ、動く歩道の乗降床（７２）に起立する第１操作者（Ｐ１）が、垂直平行状左
2007176699.tif 000015
ータ（７０）又は動く歩道の、左右何れかの手摺ベルト（７４）の開放された一端部に平行状に配し、その可撓性前後ロール（２１、２１）を介して情報表示テープ（４５）を押圧しながら、開放されたエスカレータ（７０）の停止する階段（７３）降りながら又は移動通路を後退しながら他端部まで押し進めて、開放された手摺ベルト（７４）の頂側部（７５、７６）の他端部まで情報表示テープ（４５）を貼付した後、前記エスカレータ（７０）又は動く歩道を低速駆動して、停止する手摺ベルト（７４）を、当該情報表示テープ貼付装置（Ｘ、Ｙ）並びに第１、第２操作者（Ｐ１、Ｐ２）と共に、前記情報表示テープ（４５）の貼付長さ相当量移動させて停止させた後、第１、第２操作者（Ｐ１、Ｐ２）による前記と同様な情報表示テープ（４５）の貼付を繰返して、．当該手摺ベルト（７４）全長の頂側部（７５、７６）に情報表示テープ（４５）を貼付し、然る後、当該エスカレータ（７０）又は動く歩道の停止状態、又はそれらの後退工程において、当該情報表示テープ貼付装置（Ｘ、Ｙ）を一側手摺ベルト（７４）周りから外して、他側手摺ベルト（７４）の開放された一端部回りに配すると共に、この間に、当該情報表示テープ貼付装置（Ｘ、Ｙ）の左右何れかの外側に取り付けた前ハンドル（６）があれば、該前ハンドル（６）を前記垂直平行状左右側板（１、１）の一側前部から他側前部へ移し替えた後、停止するエスカレータ（７０）又は動く歩道の手摺ベルト（７４）への情報表示テープ貼付装置（Ｘ、Ｙ）による前記と同様な貼付操作の繰り返しにより、他側手摺ベルト（７４）全長の頂側部（７５、７６）に情報表示テープ（４５）を貼付することを特徴とする、請求項１１〜１３の何れかに記載の長尺材への情報表示テープ貼付方法。
【請求項１５】
公園、名所、旧跡等の各種施設、展示物周りの手摺、案内柵、区画柵等の長尺材（９１）の一端部、又は当該長尺材（９１）から起立する掲示物（９８）の隣接部、若しくは、情報表示テープ（４５）の貼付を必要とする領域の、長尺材（９１）の一端部周りに配した情報表示テープ貼付装置（Ｚ）を、当該長尺材（９１）の他端部、又は隣接する起立掲示物（９８）、若しくは情報表示テープ（４５）の貼付を必要とする領域の他端部まで第１操作者（Ｐ１）が押し進めると共に、前記遊離剥離テープ（４９Ａ）を、第２操作者（Ｐ２）が当該情報標示テープロール（４４）周りをその回転方向に沿うよう上方へ引出する一方、前記情報標示テープ（４５）を当該領域の長尺材（９１）の頂側部（９２、９３）に前記と同要領で貼付し、この間に第２操作者（Ｐ２）が遊離剥離テープ（４９Ａ）を適所へ排出し、然る後、当該情報表示テープ貼付装置（Ｚ）を隣接する長尺材（９１）、又は隣接する起立掲示物（９８）間の長尺材（９１）、若しくは情報表示テープ（４５）の貼付必要領域の長尺材（９１）端部へ移し替え、当該情報表示テープ貼付装置（Ｚ）による前記と同様な操作の繰返しにより、当該長尺材（９１）の全長若しくは全貼付必要領域の頂側部（９２、９３）に、情報表示テープ（４５）を貼付することを特徴とする請求項１１〜１４の何れかに記載の長尺材への表示テープ貼付方法。
【請求項１６】
前記情報表示テープロール４４から巻き戻した情報表示テープ（４５）の、前記前後可撓性
2007176699.tif 000016
着剤（４７）から剥離した遊離薄利テープ（４９Ａ）を、前記情報表示テープロール（４４）周りを、その回転方向に１周させた後、当該情報表示テープロール（４４）回りの情報表示テープ（４５）の情報表示層（４７）外側と、第１スペーサ（１７）との間に挿入してその前側に引き出し、この引き出した遊離剥離テープ（４９Ａ）を介して当該情報表示テープ（４５）を手摺ベルト（７４）に押圧、貼付することを特徴とする請求項１１〜１５の何れかに記載の長尺材への情報表示テープ貼付方法。
【請求項１７】
垂直平行状左右側板（１、８１）の前後に、左右両側部に垂直状ガイドロール（１４、１６：１４Ｂ）の間隔を調整可能に設けたガイドロールホルダ（１０）を、該垂直平行状左右側板（１、８１）下部の同一平面上の前後に、水平状可撓性ロール（２１、２１）を夫々設け、該前後可撓性ロール（２１、２１）間の垂直平行状左右側板（１）内側に、前記エスカレータ（７０）又は動く歩道の手摺ベルト（７４）
2007176699.tif 000017
記可撓性後ロール（２１）間に、水平状ブラシ足（５３）を備え、当該手摺ベルト（７４）よりやや高い高さ（Ｔ）の左右サイドブラシ（５０、５０）を設け、かつ、垂直平行状左右側板（１、８１）の前記可撓性前ロール（２１）上位の上開き案内溝（２、８２）に、裏面の接着剤層（４８）に剥離テープ（４９）が貼付され、表面の当該手摺ベルト（７４）に係わる情報表示層（４７）を内側に巻付けた情報表示テープロール（４４）のねじ付き回転軸２５を回転及び昇降可能で、第１スペーサ（１７）との当接により、情報表示テープロール（４４）から巻き戻す情報表示テープ（４５）に適度な巻き戻し抵抗を賦与するように装架した情報表示テープ貼付装置（Ｘ、Ｙ）前後の把持部（６、７）を、当該手摺ベルト（７４）一端部周りの乗降床（７２）に起立する第３操作者（Ｐ３）が把持して、停止する開放された当該手摺ベルト（７４）の一端部に配した後、前記第３操作者（Ｐ３）と、当該エスカレータ７０の開放された水平状一端部の対向位置
2007176699.tif 000018
介して巻き戻される、情報表示テープ（４５）の端部（４５Ａ）から剥離テープ（４９）を剥離して適所へ排出し、該剥離テープ（４９）薄利後の情報表示テープ（４５）の端部（４５Ａ）を、停止する手摺ベルト（７４）の端部に貼付した後、第３、第４操作者（Ｐ３、Ｐ４）の何れかが、前記手摺ベルト（７４）の低速駆動切換可能なスイッチ（Ｓ）、又は当該手摺ベルト（７４）の連動するエスカレータ（７０）若しくは動く歩道の低速駆動可能なスイッチをオンして、当該手摺ベルト（７４）を一周させ、当該情報表示テープ（４５）を手摺ベルト（４７）の頂側部（７５、７６）に貼付し、この間に第４操作者（Ｐ．４）が遊離剥離テープ（４９Ａ）を適所へ排出することを特徴とする手摺ベルトへの情報表示テープ貼付方法。
【請求項１８】
前記請求項１７記載の手摺ベルトへの情報表示テープ貼付方法において、前記手摺ベルト（７４）の開放された一端部の乗降床（７２）に起立する第３操作者（Ｐ３）が、前記情報表示テープ貼付装置（Ｘ、Ｙ）前後の把持部（６、７）を把持して、その垂直平行状左右側板（１、１）前部の左右に平行状に
2007176699.tif 000019
計方向に回動させて後部を上昇させた後、前記第３操作者（Ｐ３）と前記手摺ベルト（７４）の開放された一端部の対向位置に起立する第４操作者（Ｐ４）が、該情報表示テープ貼付装置（Ｘ、Ｙ）上の情報表示テープロ−ル（４５）から巻き戻した情報表示テープ端部（４５Ａ）から、さらに剥離した剥離テープ（４９）を適所へ排出する一方、剥離テープ（４９）剥離後の情報表示テープ端部（４５Ａ）を停止する手摺ベルト（７４）の開放された端部に貼付（４５Ｂ）した後、第３操作者（Ｐ３）が後部の上昇する情報表示テープ貼付装置（Ｘ、Ｙ）を反転降下させて、手摺ベルト（７４）端部と平行状にした後、第３、第４操作者（Ｐ３、Ｐ４）の何れかが、前記手摺ベルト（７４）の低速駆動切換可能なスイッチ（Ｓ）、又は当該手摺ベルト（７４）の連動するエスカレータ（７０）若しくは動く歩道の低速駆動切換可能なスイッチをオンして、当該手摺ベルト（７４）を一周させて、該情報表示テープ（４５）を手摺ベル（４７）の頂側部（７５、７
2007176699.tif 000020
操作者（Ｐ４）が前記手摺ベルト（７４）の低速駆動切換可能なスイッチ（Ｓ）、又は当該手摺ベルト（７）に連動するエスカレータ（７０）又は動く歩道の低速駆動切換可能なスイッチをオフして、当該手摺ベルト（７４）を停止させることを特徴とする請求項１７記載の手摺ベルトへの情報表示テープ貼付方法。
【発明の詳細な説明】
【技術分野】
【０００１】この発明は、各種長尺材への情報表示テープ貼付装置及び貼付方法、殊に、エスカレータ、動く歩道等の手摺ベルト、リハビリテーション施設の歩行者誘導用手摺、多数の来客訪問が予定される公園、動植物園、博物館等の各種施設、各種展示物周りの区画柵等の、各種長尺材の頂部又は頂側部に、当該長尺材にかかわる模様、広告、宣伝、伝達、告示等の各種情報を表示するエスカレータの手摺ベルト等の、長尺材への表示テープ貼付装置及び貼付方法に関する。
【背景技術】
【０００２】
2007176699.tif 000003
ーション、デパート、各種施設等に設置されるエスカレータ、動く歩道等の手摺ベルトへ、各種情報表示テープを貼付することにより、当該各種情報の高い表示、伝達効果を期待できることが、例えば、引用文献１〜３に記載される。【０００３】引用文献１の日本国特許第３６４５８９３号明細書、発明の詳細な説明００２５、００２４欄には、接着フイルムを移動ハンドレールへ被着させる装置であって、この装置を欄干に取り付ける取付手段と、前記接着フイルムの第１のロールを取り付ける第１のスピンドル手段と、圧力を前記接着フイルムに加えて、前記接着フイルムを前記移動ハンドレールに付着させる加圧手段を有し、加圧手段は、中心線が前記移動ハンドレールの中心線に一致し、当該中心線周りに対称に設けられた複数のローラ対を含む加圧機構を有し、前記複数のローラ対は、前記加圧機構の後方端部からその前方端部まで延びており、前記後方端部及び前方端部は、前記移動ハンドレールの移動方向に一致し、後方のローラ対は、前記加圧機構の中心線に隣接して設けられ、前記後方のローラ対に続く各ローラ対は、前記加圧機構の前方端部に向って次第に間隔を置いて設けられ、使用に当り、前記装置を超えて、前記移動ハンドレールを駆動することができ、前記加圧手段が前記接着フイルムを前記移動ハンドレールに付着させた状態で、前記接着フイルムを、前記第１のロールから巻き出すようになっており、前記移動ハンドレールが前記加圧機構を通過すると、前記接着フイルムは前記移動ハンドレールの中心線から前記移動ハンドレールのリップの外面周りに次第に巻き付ける貼付装置、並びに同貼付装置による移動ハンドレールへの接着フイルムの被着方法が記載される。【０００４】引用文献２の特開２００４−１２３２６９号公報には、エスカレータ又は移動通路のハンドレールへの連続シート貼付装置として、シート保持ロール４、裏紙巻取りロール５、押し付けローラ６及びガイド手段７を備える台座３を、支持アーム３０先端の吸盤３１によりエスカレータの側板（欄干）１に固定支持する。シート保持ロール４から引き出した連続シート４ａを押し付けローラ６とハンドレール２の移動により引き出しつつ押し付けて帖着し、押し付けローラ６の下流側に位置するガイド手段７により、連続シート４ａの両側縁を折り曲げつつ案内し、ハンドレール２の側面に貼付する。裏紙巻き取りロール５は裏紙５ａと保持
2007176699.tif 000004
から剥離した剥離紙５ａを巻き取る。【０００５】引用文献３の特開２００４−３１５２０２号公報には、ハンドレールの表面に印刷シールを均一に貼り付ける装置で、広告物の印刷シールワインダ４を側板１に取付けると共に、印刷シール１８から剥離紙を分離する分離ローラ２０、２１を側板１に取付け、分離ローラ２０、２１で分離した剥離紙１９を巻き取る巻取りワインダ１２を側板１に取付け、分離ローラで分離した印刷シール１８を、側板１上の押圧ローラ２５でハンドレール２９の表面に貼り付け、さらに、印刷シール１８の両端部をハンドレール２９の両側面に貼り付けるブラシ群３８〜４０を側板１の前方に設け、ハンドレール１９上に装置全体を支持するための支持ローラ４２、４２を、側板１の前後部に垂直に固定した固定板３１、４１に取り付け、ハンドレールを前後で
2007176699.tif 000005
【発明が解決しようとする課題】
【０００６】引用文献１には、情報表示接着フイルムを移動ハンドレールに被着させる装置及び方法は、接着フイルムを移動ハンドレールへ貼付する装置を、取付手段によりエスカレータの欄干に取り付ける装置を必要とする外、当該接着フイルムロール（第１スピンドル）から巻き戻した接着フイルムから、さらに剥離した遊離剥離紙を巻き取るための巻取りワインダ（第２スピンドル）を、第１スピンドルに調速装置を介して連動させるものであったため、その目的、効果を期待できる反面、このものにあっては、当然のことながら夫々の機能を奏するための装置がかなり複雑化すると共に相応に大型化し、ひいては、なお、その重量が増加し、コスト高を招く嫌いがあった。
【０００７】引用文献２には、エスカレータ又は移動通路のハンドレールへの連続シート貼付装置として、シート保持ロール４、裏紙巻取りロール５、押し付けローラ６及びガイド手段７を備える台座３を、支持アーム３０先端の吸盤３１によりエスカレータの欄干１に固定支持する。シート保持ロール４から引き出した連続シート４ａを押し付けローラ６とハンドレール２の移動により引き出しつつ押し付けて帖着し、さらに、押し付けローラ６の下流側に位置するガイド手段７により、連続シート４ａの両側縁を折り曲げつつ案内し、ハンドレール２の側面に貼付する。裏紙巻き取りロール５は裏紙５ａと保持ロール４からの伝動歯車４１、４２、５２、５１により回転し、連続シート４ａの引出しに伴って、その帖着面から剥離された剥離紙５ａを巻き取れるものの、接着フィルムから剥離した剥離紙の巻取装置を駆動するための、前記引用文献１と同様に、伝動装置及び調速装置を必要とし、その結果、当該装置が相応に大型化すると共に重量増並びにコスト高を招く問題点があった。
【０００８】引用文献３には、移動手摺の表面に印刷シールを均一に貼り付ける装置で、広告物の印刷シールワインダ４を側板１に取り付けると共に、印刷シール１８から剥離紙を分離する分離ローラ２０、２１を側板に取付ける外、分離ローラ２０、２１で分離した剥離紙１９を巻き取る巻取りワインダ１２を側板１に取付け、分離ローラで分離した印刷シール１８を移動手摺２９の表面に貼り付ける押圧ローラ２５を側板１に取り付け、印刷シール１８の両端部を移動手摺２９の両側面に貼り付けるブラシ群３８〜４０を側板１の前方に設け、移動手摺１９上に装置全体を支持するための支持ローラ４２、４２を、側板１の前後部に垂直に固定した固定板３１、４１により取り付け、手摺案内レールを前後で挟み込む当接部材を側板１の前後部に固定することとの関連において、当然のことながら、情報表示テープの手摺ベルトへの貼付進行に伴って減少する情報表示テープロール径の縮小に反して、剥離テープの巻取り径がの増加する、両者の速度調整装置を必要とするものであったため、当該装置が複雑になり、重量増を招き、ひいてはコスト高を招く嫌いがあった。
【０００９】本件発明者は、前記引用文献１〜３記載発明を始め、ここでは詳細な説明を省略するが、例えば、特開平７−１０１６５９号公報、特開平４−１２９９６２号公報、特開平３−１８０７９号公報に記載される、エスカレータ、動く歩道等の手摺ベルトへの情報表示テープ貼付装置が、何れも、当該手摺ベルトの欄干に、吸盤により取り付けられ、当該エスカレータ、動く歩道等の欄干の所定位置から移動させることのない、固定された情報表示テープ貼付装置に対して、手摺ベルトを移動させて情報表示テープを手摺ベルトに貼付するものとは異なり、第１操作者が情報表示テープ貼付装置の前後部を把持して、停止する手摺ベルトの開放された上下何れかの一端部に配した後、停止する手摺ベルトに沿うように、当該エスカレータの開放された階段を降りながら、又は動く歩道を後退するように移動することにより、情報表示テープロールから巻き戻して、引き出した情報表示テープから、さらに剥離テープを剥離し、剥離後の遊離剥離テープを第２操作者が適所へ排出処理する装置及び方法であって、前記引用文献１〜３を始め、前示従来技術になお残る、前記のような情報表示テープから剥離した剥離テープを、当該情報表示テープ貼付装置に連動する巻取りロールにより巻き取り、その際、剥離テープの巻取り進行に伴う、巻取り速度の調整装置の設置を要することなく、第２操作者が遊離剥離テープを適所へ排出すことにより、当該情報表示テープ貼付装置による貼付速度との調速装置を要することなく、ひいては、剥離テープ排出に多少のずれ発生に煩わされる恐れがなく、第２操作者が随時排出することにより、前記引用文献１〜３のような大型、複雑、重量増等を招くことがなく、コンパクト、軽量に構成され、しかも、操作の容易な長尺材への情報表示テープ貼付装置（特願２００５−１３５３６４号）、並びに、情報表示テープロール用芯管の改良発明（特願２００５−２２７１８６号）を提案した。本発明者はその後の研究により、前記両特許出願に係わる発明をさらに改良して、一層軽量、コンパクトで、操作し易い情報表示テープ貼付装置及び貼付方法並びに情報表示テープロール用芯管に係わる本発明を提案する。なお、本発明においては、エスカレータ、動く歩道等の手摺ベルトへの情報表示テープ貼付装置の使用技術の向上に伴い、当該手摺ベルトへの情報表示テープ貼付装置を、エスカレータ又は動く歩道端部周りの乗降床に起立する第３操作者（図２５のＰ３参照）が、当該情報表示テープ貼付装置の前後の把持部を把持し、当該手摺ベルトを低速で一周させる一方、この間に第３操作者の外側に起立する第４操作者（同Ｐ４参照）が剥離した、剥離テープを適所へ排出することにより、情報表示テープを同該手摺ベルトの頂側部に貼付する手摺ベルトへの情報表示テープ貼付方法を併せて提案する。
【課題を解決するための手段】
【００１０】この発明は、前記のような課題を解決すため、垂直平行状左右側板１、８１の前後部に、前後部の把持部６、７及びエスカレータ又は動く歩道の手摺ベルト、各種施設周りの区画柵等の長尺材７４、９１にガイドされる、左右の垂直ガイドロール１４、１６：１４Ｂを備える一対のガイドロールホルダ１０、１０と、その下部の同一平面上に、前後一対の平行状可撓性ロール２１、２１と、該可撓性前ロール２１の上位に、該可撓性前ロール２１と平行する第Ｉスペーサ１７と、該第１スペーサ１７の上位に上開き案内溝２、８２を夫々設けると共に、前記上開き案内溝２、８２に情報表示テープロール４４のねじ付き回転軸２５を昇降及び回転可能で、当該情報表示テープロール４４の前記第１スペーサ１７への当接により、当該情報表示テープロール４４から巻き戻す情報標示テープ４５に、適度な巻き戻し抵抗を発生させるようにした長尺材への情報表示テープ貼付装置である。
【００１１】また、前記垂直平行状左右側板１の下部同一水平面上に設けた前後の可撓性ロール２１、２１間内側に、前記長尺材７４、９１よりやや広幅で、垂直状ブラシ足４８を備えるセンタブラシ４５と、該センタブラシ４５と前記可撓性後ロール２１との間に、水平状ブラシ足５３を備え、当該長尺材７４、９１よりやや高い高さＴの左右のサイドブラシ５０、５０を設けたものであり、また、前記センターブラシ５０の垂直状ブラシ足５３の下端部を、その上端部より適度に後退させると共に、前記左右サイドブラシ５５の下位の水平状ブラシ足５８を、その上位の水平状ブラシ足５８より適度に後退させたものである。
【００１２】さらに、前記垂直平行状左右側板１、８１の上開き案内溝２、８２を、前記可撓性前ロール２１の軸心を含み、その直上方又はやや後傾上方に伸びる．平面に沿うように構成すると共に、前記第１スペーサ１７と平行し、当該第１スペーサ１７の前側下位で、前記可撓性前ロール２１より上位に第２スペーサ１８を、前記垂直平行状左右側板１、８１に設けたものであり、また、前記前後のガイドロールホルダ１０、１０の左右両側端部に、前記垂直平行状左右側板１、８１に対する当該前後ガイドホルダ１０、１０の上下方向節調節用縦穴１１を、また、該前後ガイドロールホルダ１０、１０の左右両側部に、前記前後の垂直平行状ガイドロール１４、１６：１４Ｂの間隔調節用横穴１２を夫々設けたものものである。
【００１３】また、前記前後ガイドロール１４、１６：１４Ｂの高さ、内径及び少なくとも上半部を夫々略同一形状に構成すると共に、該前後ガイドロール１４、１６：１４Ｂの穴１４Ｈ、１６Ｈ：１４ＢＨに、前後のガイドロール軸１４Ａ、１６Ａを挿入して、前記前後ガイドロールホルダ１０、１０へ取付けたものであり、また、前記垂直状前ガイドロール１４、１４Ｂを、当該垂直状前ガイドロール１４、１４Ｂの．上半部より膨出す
2007176699.tif 000006
【００１４】さらに、前記垂直平行状左右側板１、８１前部の内側に前ハンドルを、若しくは該垂直平行状左右側板１、８１前部の左右何れかの外側に、交互に装脱可能に前ハンドル６を、また、前記．垂直平行状左右側板１、８１の後部内側に後ハンドル７を、夫々設けたものであり、また、前記垂直平行状左右側板１、８１の上開き案内溝２、８２に昇降及び回転可能に装架する．ねじ付き回転軸２５に、互いに係合する凹凸部３４、３５を備える一対の半割り筒状芯３１、３１．の端面３３、３３を対接させて、ねじ３９、３９締め構成した情報表示テープロール芯３０を、テープ押えフランジ４０及び位置合わせリング４１を介して取り付けたものである。
【００１５】また、前記垂直平行状左右側板１、８１の上縁部を中高弧状又は前高弧状３、８３に、また、その下縁部を前記垂直状前後ガイドロール１４、１６のカバーを兼ねる前後凸部４、４にすると共に、当該前後凸部４、４間に、当該情報表示テープ貼付装置Ｘ〜Ｚを前記長尺材７４、９１に載置した状態において、当該長尺材７４、９１高さの５０％以上を露出させる凹部５を構成したものである。
【００１６】さらに、垂直平行状左右側板１、８１の前後に、左右両側部に垂直状ガイドロール１４、１６：１４Ｂの間隔を調整可能に設けたガイドロールホルダ１０を、該垂直平行状左右側板１、８１下部の同一平面上の前後に、水平状可撓性ロール２１を夫々設け、該垂直平行状左右側板１、１の前記可撓性前ロール２１上位の上開き案内溝２、８２に、裏面の接着剤層４８に剥離テー４９が貼付され、表面のエスカレータ又は動く歩道の手摺ベルト、各種施設周りの区画柵等の長尺材７４、９１に係わる情報表示層４７を内側に巻き付けた情報標示テープロール４４との当接により、当該情報表示テープロール４４から巻き戻される報
2007176699.tif 000007
〜Ｚの前後部を、第１操作者Ｐ１が把持して停止する前記長尺材７４、９１の開放された一端部に配した後、前記情報表示テープロール４４と第１スペーサ１７との当接部から巻き戻した情報表示テープ４５の端部４５Ａから、さらに、第２操作者Ｐ２が剥離テープ４９を剥離し、剥離テープ４９剥離後の情報表示テープ端部４５Ａを、前記可撓性前ロール２１の下部を介して停止する長尺材７４、９１の開放された一端部に第２操作者Ｐ２が貼付した後、前記第１操作者Ｐ１が当該情報表示テープ貼付装置Ｘ〜Ｚを長尺材７４、９１に沿って、その開放された他端部まで押進めて、当該情報表示テープ４５を停止する長尺材７４、９１に貼付する一方、この間に、前記第１操作者Ｐ１に追随する第２操作者Ｐ２が、遊離剥離テープ４９Ａを適所へ排出させる長尺材への情報表示テープ貼付方法である。
【００１７】
2007176699.tif 000008
記長尺材７４、９１よりやや広幅で、垂直状ブラシ足４８を備えるセンタブラシ５と、該センタブラシ４５と前記可撓性後ロール２１との間に、水平状ブラシ足を備え、当該長尺材７４、９１よりやや高い高さＴの左右のサイドブラシ５０、５０を設け、当該情報表示テープ貼付装置Ｘ、Ｙの進行による、前記可撓性前後ロール２１、２１とセンタブラシ４５及び左右サイドブラシ５０、５０との協同により、前記情報標示テープ４５を前記長尺材７４、９１の頂側部７５、７６に貼付する方法．である。
【００１８】また、前記垂直平行状左右側板１の、１４Ｂの下部を、その上部より膨出する凹弧状又は裁頭円錐状１５、１５Ｂに構成した情報表示テープ貼付装置Ｘ〜Ｚの前後把持部６、７を、第１操作者Ｐ１が把持して停止する長尺材７４、９１の開放された一端部に配し、該情報表示テープ貼付装置Ｘ〜Ｚを、前記垂直状前ガイドロール１４、１４Ｂ下部の凹弧状又は裁頭円錐状膨出部１５、１５Ｂ周りの反時計方向に回動させて、その
2007176699.tif 000009
４と第１スペーサ１７の当接部から巻き戻した情報表示テープ端部４５Ａから、第２操作者Ｐ２が剥離テープ４９をさらに剥離する一方、該剥離テープ４９剥離後の情報表示テープ端部４９Ａを第２スペーサ１８、可撓性前ロール２１の前側及びその下部を介して、後部の上昇する情報表示テープ貼付装置Ｘ〜Ｚ下部と、長尺材７４、９１の開放された端部間に引き出し、この引き出した情報表示テープ４５の端部４５Ａを第２操作者Ｐ２が、停止する長尺材７４、９１の開放された端部の頂側部７５、７６に貼付した後、後部の上昇する情報表示テープ貼付装置Ｘ〜Ｚを、前記垂直状前ガイドロール１４、１４Ｂ下部の凹弧状又は裁頭円錐状膨出部１５、１５Ｂ周りの時計方向に反転、降下させて、停止する長尺材７４、９１の開放された端部と平行状にすると共に、可撓性前後ロール２１、２１及び垂直状センタブラシ５０により当該情報表示テープ４５の中央部を、また、垂直状左右サイドブラシ５５により、当該情報表示テープ４５の左右両側部を夫々
2007176699.tif 000010
【００１９】また、エスカレータ、動く歩道の乗降床７２に起立する第１操作者Ｐ１が、垂直平行状左右側板Ｉ、１前後の把持部６、７を把持した情報表示テープ貼付装置Ｘ、Ｙを、停止するエスカレータ７０又は動く歩道の、左右何れかの手摺ベルト７４の開放された一端部に平行状に配し、その可撓性前後ロール２１、２１を介して情報表示テープ４５を押圧しながら、開放されたエスカレータ７０の停止する階段７３降りながら又は移動通路を後退しながら他端部まで押し進めて、開放された手摺ベルト７４の頂側部７５、７６の他端部まで情報表示テープ４５を貼付した後、前記エスカレータ７０又は動く歩道を低速駆動して、停止する手摺ベルト７４を、当該情報表示テープ貼付装置Ｘ、Ｙ並びに第１、第２操作者Ｐ１、Ｐ２と共に、前記情報表示テープ４５の貼付長さ相当量移動させて停止させた後、第１、第２操作者Ｐ１、Ｐ２による前記と同様な情報表示テープ４５の貼付を繰返して、．当該手摺ベルト７４全長の頂側部７５、７６に情報表示テープ４５を貼付し、然る後、当該エスカレータ７０又は動く歩道の停止状態、又はそれらの後退工程において、当該情報表示テープ貼付装置Ｘ、Ｙを一側手摺ベルト７４周りから外して、他側手摺ベルト７４の開放された一端部回りに配すると共に、この間に、当該情報表示テープ貼付装置Ｘ、Ｙの左右何れかの外側に取り付けた前ハンドル６があれば、該前ハンドル６を前記垂直平行状左右側板１、１の一側前部から他側前部へ移し替えた後、停止するエスカレータ７０又は動く歩道の手摺ベルト７４への情報表示テープ貼付装置Ｘ、Ｙによる
2007176699.tif 000011
５を貼付するである。
【００２０】さらに、公園、名所、旧跡等の各種施設、展示物周りの手摺、案内柵、区画柵等の長尺材９１の一端部、又は当該長尺材９１から起立する掲示物９８の隣接部、若しくは、情報表示テープ４５の貼付を必要とする領域の、長尺材９１の一端部周りに配した情報表示テープ貼付装置Ｚを、当該長尺材９１の他端部、又は隣接する起立掲示物９８、若しくは情報表示テープ４５の貼付を必要とする領域の他端部まで第１操作者Ｐ１が押し進めると共に、前記遊離剥離テープ４９Ａを、第２操作者Ｐ２が当該情報標示テープロール４４周りをその回転方向に沿う上方へ引出する一方、前記情報標示テープ４５を当該領域の長尺材９１の頂側部９２、９３に前記と同要領で貼付し、この間に第２操作者Ｐ２が遊離剥離テープ４９Ａを適所へ排出し、然る後、
2007176699.tif 000012
情報表示テープ４５の貼付必要領域の長尺材９１端部へ移し替え、当該情報表示テープ貼付装置Ｚによる前記と同様な操作の繰返しにより、当該長尺材９１の全長若しくは全貼付必要領域の頂側部９２、９３に、情報表示テープ４５を貼付する方法である。
【００２１】また、情報表示テープロール４４から巻き戻した情報表示テープ４５の前後可撓性ロール２１、２１による長尺材７４、９１への貼付に当り、当該情報表示テープ４５裏面の接着剤４７から剥離した遊離薄利テープ４９Ａを、情報表示テープロール４４周りをその回転方向に１周させた後、当該情報表示テープロール４４回りの情報表示テープ４５の情報表示層４７外側と、第１スペーサ１７との間に挿入してその前側に引き出し、この引き出した遊離剥離テープ４９Ａを介して当該情報表示テープ４５を手摺ベルト７４に押圧して、貼付する方法である。
【００２２】また、垂直平行状左右側板１、８１の前後に、左右両側部に垂直状ガイドロール１４、１６：１４Ｂの間隔を調整可能に設けたガイドロールホルダ１０を、該垂直平行状左右側板１、８１下部の同一平面上の前後に、水平状可撓性ロール２１、２１を夫々設け、該前後可撓性ロール２１、２１間の垂直平行状左右側板１内側に、前記エスカレータ７０の又は動く歩道の手摺ベルト７４よりやや広幅で、垂直状ブラシ足４８を備えるセンタブラシ４５と、該センタブラシ４５と前記可撓性後ロール２１間に、水平状ブラシ足５３を備え、当該手摺ベルト７４よりやや高い高さＴの左右のサイドブラシ５０、５０を設け、かつ、垂直平行状左右側板１、８１の前記可撓性前ロール２１上位の上開き案内溝２、８２に、裏面の接着剤層４８に剥離テープ４９が貼付され、表面の当該手摺ベルト７４に係わる情報表示層４７を内側に巻付けた情報表示テープロール４４のねじ付き回転軸２５を回転及び昇降可能で、第１スペーサ１７との当接により、情報表示テープロール４４から巻き戻す情報表示テープ４５に適度な巻き戻し抵抗を賦与するように装架した情報表示テープ貼付装置Ｘ、Ｙ前後の把持部６、７を、当該手摺ベルト７４一端部周りの乗降床７２に起立する第３操作者Ｐ３が把持して、停止する開放された手摺ベルト７４の一端部に配した後、前記第３操作Ｐ３者と、当該エスカレータ７０の開放された一端部の対向位置に起立する第４操作者Ｐ４が、前記情報表示テープロール４４と第１スペーサ１７の当接部から巻き戻される、情報表示テープ４５の端部４５Ａから剥離テープ４９を剥離して適所へ排出し、該剥離テープ４９剥離後の情報表示テープ端部４５Ａを、停止する手摺ベルト７４の端部に貼付した後、第４操作者Ｐ４が、前記手摺ベルト７４の低速駆動切換可能なスイッチ（Ｓ）、又は当該手摺ベルト７４の連動するエスカレータ７０若しくは動く歩道の低速駆動切換可能なスイッチをオンして、手摺ベルト７４を一周させて、情報表示テープ４５を手摺ベルト４７の頂側部７５、７６に貼付し、この間に、第４操作者Ｐ．４が遊離剥離テープ４９Ａを適所へ排出する手摺ベルトへの情報表示テープ貼付方法である。
【００２３】また、前項の手摺ベルトへの情報表示テープ貼付方法において、手摺ベルト４の開放された一端部の乗降床７２に起立する第３操作者Ｐ３が、情報表示テープ貼付装置Ｘ、Ｙの前後の把持部６、７を把持して、垂直平行状左右側板１、１前部の左右に平行状に設けた、前ガイドロール１４、１４Ｂ下部の凹弧状又は裁頭円錐状膨出部１５、１５Ｂに回りの反時計方向に回動させて後部を上昇させた後、前記第３操作Ｐ３者とエスカレータ７０の開放された一端部の対向位置に起立する第４操作者Ｐ４が、該情報表示テープ貼付装置Ｘ、Ｙ上の情報表示テープロ−ル４５から巻き戻した情報表示テープ端部４５Ａから、さらに剥離した剥離テープ４９を適所へ排出する一方、剥離テープ４９剥離後の情報表示テープ４５の端部４５Ａを停止する手摺ベルト７４の端部に貼付４５Ｂした後、第３操作者Ｐ３が後部の上昇する情報表示テープ貼付装置Ｘ、Ｙを反転降下させて、手摺ベルト７４と平行状にした後、第３、第４操作者Ｐ４が、手摺ベルト７４の低速駆動切換可能なスイッチＳ、又は当該手摺ベルト７４の連動するエスカレータ７０若しくは動く歩道の低速駆動切換可能なスイッチをオンして手摺ベルト７４を一周させて、情報表示テープ４５を手摺ベル４７の頂側部７５、７６に貼付し、この間に、第４操作者Ｐ．４が遊離剥離テープ４９Ａを適所へ排出し、然る後、第４操作Ｐ４が、前記手摺ベルト７４の低速駆動切換可能なスイッチＳ、又は当該手摺ベルト７４に連動するエスカレータ７０又は動く歩道の低速駆動切換可能なスイッチをオフして、手摺ベルト７４を停止させる方法である。
【発明の効果】
【００２４】（１）請求項１の発明によれば、垂直平行状左右側板１、８１の前後部に、前後に把持部６、７を構成したことにより、情報表示テープ貼付装置Ｘ〜Ｚを第１操作者が安定的に把持し、垂直平行状左右側板１、８１の前後部に長尺材７４、９１にガイドされる、左右の垂直ガイドロール１４、１６：１４Ｂを備える一対のガイドロールホルダ１０、１０設けたことと、垂直平行状左右側板１、８１前後下部の同一平面上に設けた前後一対の平行状可撓性ロール２１、２１との協同により、当該情報標示テープ貼付装置Ｘ〜Ｚを長尺材７４、９１に沿って均一に押圧しながらスムーズに押し進め、情報標示テープ４５の長尺材７４、９１への均一な押圧、貼付を容易にする。
【００２５】（２）可撓性前ロール２１の上位に、当該可撓性前ロール２１と平行する第１スペーサ１７を設けると共に、第１スペーサ１７上位の上開き案内溝２、８２にねじ付き回転軸２５を介して、回転及び昇降可能に装架される情報表示テープロール４４が第１スペーサ１７に直接当接して、情報表示テープロール４４（殊に、そのねじ付き回転軸２５）の全重量が、常時第一スペーサ１７に掛かって、当該情報表示テープロール４４から巻き戻されるり情報表示テープ４５の巻き戻し抵抗となり、したがって、ねじ付き回転軸２５部の重量を適度に確保することにより、当該情報表示テープロール４４から巻き戻す情報表示テープの必要な巻き戻し抵抗の確保を容易にする。
【００２６】（３）垂直平行状左右側板１、８１の前後部に、エスカレータ又は動く歩道の手摺ベルト、各種施設周りの区画柵等の長尺材７４、９１にガイドされる、左右の垂直ガイドロール１４、１６：１４Ｂを備える一対のガイドロールホルダ１０、１０を設けたことにより、当該垂直ガイドロール１４、１６：１４Ｂ又は当該垂直ガイドロール１４、１６：１４Ｂを備える一対のガイドロールホルダ１０、１０の、垂直平行状左右側板１、８１に対する適度な調節により、同一の情報表示テープ貼付装置Ｘ〜Ｚにより、異なる形状、サイズの長尺材７４、９１への情報表示テープ４５の貼付を可能にする。
【００２７】（４）請求項２の発明によれば、垂直平行状左右側板１の下部同一水平面上に設けた前後の可撓性ロール２１、２１間の内側に、当該長尺材７４、９１よりやや広幅で、垂直状ブラシ足４８を備えるセンタブラシ４５と、該センタブラシ４５と可撓性後ロール２１との間に、水平状ブラシ足５３を備え、当該長尺材７４、９１よりやや高い高さＴの左右サイドブラシ５０、５０を設けたことにより、情報標示テープ貼付装置Ｘ〜Ｚと長尺材７４、９１間に多少のずれがあっても、情報表示テープ４５を略均等で、らなく貼付できる。
【００２８】（５）請求項３の発明によれば、センターブラシ５０の垂直状ブラシ足５３の下端部を、その上端部より適度に後退させると共に、前記左右サイドブラシ５５の下位の水平状ブラシ足５８を、その上位の水平状ブラシ足５８より適度に後退させたことにより、当該センタブラシ５０と左右のサイドブラシ５５との協同により、情報表示テープ４５を当該長尺材７４、９１の頂側部７５、７６に一層スムーズに貼付する。
【００２９】（６）請求項４の発明によれば、垂直平行状左右側板１、８１の上開き案内溝２、８２を、前記可撓性前ロール２１の軸心を含み、その直上方又はやや後傾上方に伸びる．平面に沿うように構成したことにより、上開き案内溝２、８２に装架する情報表示テープロール４４のねじ付き回転軸２５の、上開き案内溝２、８２に沿うスムーズな昇降及び回転、ひいては、情報表示テープロール４４まわりと、第１スペーサ１７との常時均一で、良好な当接状態維持に基づく、情報表示テープ４５の良好な巻き戻し抵抗発生状態を確保する。また、第１スペーサ１７の前側下位で、前記可撓性前ロール２１より上位に第２スペーサ１８を、垂直平行状左右側板１、８１に設けたことにより、前記上開き案内溝２、８２に目地付き回転軸２５を介して装架される情報表示テープロール４４の巻き付け長さ、巻き付け幅等に多少の相違があっても、情報表示テープ４５の同様な貼付要領での貼付を可能にする。
【００３０】（７）請求項５の発明によれば、前後のガイドロールホルダ１０、１０の左右両側端部に、垂直平行状左右側板１、８１に対する前後ガイドホルダ１０、１０の上下方向への調節用縦穴１１を、また、前後ガイドロールホルダ１０、１０の左右両側部に、前後の垂直平行状ガイドロール１４、１６：１４Ｂの間隔調節用横穴１２を夫々設けたことにより、当該情報表示テープ貼付装置Ｘ〜Ｚ、殊に、第Ｉ、第２スペーサ１７、１８、可撓性前後ロール２１、２１、センタブラシ５０、サイドブラシ５５付き垂直平行状左右側板１、８１部を殆ど変えることなく、多少の形状、寸法の異なる長尺材７４、９１への情報表示テープ４５の貼付を容易にする。因みに、左右サイドブラシ５５の水平状ブラシ足５８を、その上位水平状ブラシ足５８より下位の水平状ブラシ足５８が後退するように設ければ、当該左右サイドブラシ５５の水平状ブラシ足５８により、長尺材７４、９１の頂面７５、９２側からその下面乃至折り返し部７７側に向って順次押圧されることになり、その結果、当該長尺材７４、９１の頂面７５、９２と情報表示テープ４５の頂部７５間に空気溜まりが発生しようとしても、図２６に略示する変形例における空気溜まりＫと同様に、順次外側へ誘導、排出して、情報表示テープ４５を一層良好に貼付する。
【００３１】（８）請求項６の発明によれば、前後のガイドロール１４、１６：１４Ｂの高さ、内径及び少なくともその上半部を夫々同一形状にすると共に、該前後のガイドロール１４、１６：１４Ｂを、それらの穴１４Ｈ、１６Ｈ：１４ＢＨに、上部に前後ガイドロールホルダ１０への取り付け部を備える前後ガイドロール軸１４Ａ、１６Ａを挿入して、前後ガイドロールホルダ１０へ取付け可能にしたことにより、所要機能を確保しつつ、前後のガイドロール１４、１６：１４Ｂ及びそのガイドロール軸１４Ａ、１６Ａを同一構造に構成すること、即ち、部品の共通化に基づくコストメリットを期待できる。
【００３２】（９）請求項７の発明によれば、垂直状前ガイドロール１４、１４Ｂを、該垂直状前ガイドロール１４、１４Ｂの．上半部より膨出する凹弧状１５又は裁頭円錐状１５Ｂに構成したことにより、情報表示テープ貼付装置Ｘ〜Ｚの長尺材７４、９１周りへの配設直後における、情報表示テープロール４４から引き出した情報表示テープ４５の端部４５Ａの、長尺材７４、９１の端部への貼付に先立ち、情報表示テープ貼付装置Ｘ〜Ｚを、垂直状前ガイドロール１４、１４Ｂ下半部の凹弧状１５又は裁頭円錐状１５Ｂ膨出部周りの時計又は反時計方向に回動させてその後部を上昇させて、情報表示テープ４５の端部４５Ａを、長尺材７４、９１の端部への貼付操作を容易にし、また、垂直状前ガイドロール１４、１４Ｂ下半部の凹弧状１５又は裁頭円錐状１５Ｂ膨出部周りの反転により、当該情報表示テープ貼付装置Ｘ〜Ｚによる情報表示テープ４５の通常の貼付態勢に直ちに復帰できる外、当該情報表示テープ貼付装置Ｘ〜Ｚの当該長尺材７４、９１周りからの不用意な脱落が阻止される。
【００３３】（１０）請求項８の発明によれば、垂直平行状左右側板１、８１前部の内側に前ハンドルを、若しくは該垂直平行状左右側板１、８１前部の左右何れかの外側に、交互に装脱可能に前ハンドル６を、また、．垂直平行状左右側板１、８１の後部内側に後ハンドル７を、夫々設けたから、情報表示テープ貼付装置Ｘ〜Ｚの前後部を、第１操作者が同時に把持することにより、情報標示テープ貼付装置Ｘ〜Ｚを安定的に把持し、前記垂直平行状左右側板１、８１下部の同一平面上に設けた可撓性ロール３１、３１との協同により、情報標示テープ４５の長尺材７４、９１への均等な押圧、貼付を容易にする。また、垂直平行状左右側板１、８１前部外側の左右何れか側に前ハンドル６を交互に取り付け可能に構成すすれば、所謂左効き、右効き、何れの操作者の把持、操作にも好適な位置に前ハンドル６を取付けることができる外、当該情報表示テープ貼付装置Ｘ〜Ｚを、例えば、エスカレータ７０の一側手摺ベルト７４（手摺９１についても同様）周りから他側手摺ベルト（手摺９１も同様）周りへ配設変えをする際、前ハンドル６の取り付け位置を垂直平行状左右側板１、８１前部の左右何れかに移し変えることにより、何れの場合もほぼ同様要領での操作を可能にする。また、垂直平行状左右側板１、８１前部の前ハンドル６の取り付け孔を、前記上開き案内溝２、８２に装架するねじ付き回転軸２５上の情報表示テープロール４４回りに当接しない（離間する）ように、垂直平行状左右側板１、８１前部の左右方向に伸びる同一直線上に配設すれば、当該垂直平行状左右側板１、８１前部の前ハンドル６取り付け孔に、前記後ハンドル７と略同形、同長のハンドル（図示省略）を、その前ハンドルとして装着することができる。なお、この垂直平行状左右側板１、８１前部の前ハンドル６の取り付け孔間に、前ハンドルを取り付けない、例えば、実施態様Ｘ、Ｙと同構造にしたものにあっては、不使用時の前ハンドル６を、当該垂直平行状左右側板１、８１前部の左右何れかの外側から取り外して、垂直平行状左右側板１、８１前部の内側に収納することができる。
【００３４】（１１）請求項９の発明によれば、垂直平行状左右側板１、８１の上開き案内溝２、８２に昇降及び回転可能に装架する．ねじ付き回転軸２５に、互いに係合する凹凸部３４、３５を備える一対の半割り筒状芯３１、３１．の端面３３、３３を対接させて、ねじ３９、３９締めした情報表示テープロール芯３０を、テープ押えフランジ４０及び位置合わせリング４１を介して取り付けることにより、当該情報表示テープロール芯３０を左右対象の半割り芯３１、３１、即ち、塑像用中子の抜き代確保を、実質的に必要としない中子（内型）塑像を可能にし、ひいては、従来例のような確保した抜き代の排除加工を要さず、しかも、組み付け後の情報表示テープロール芯３０に残るアンバランス発生が相応に抑制され、その組み付け性を一層容易にする。
【００３５】（１２）請求項１０の発明によれば、垂直平行状左右側板１、８１の上縁を中高弧状３又は前高弧状８３に構成したことにより、上開き案内溝２、８２の必要な高さを確保しつつ、その大きさを比較的小さく構成でき、また、その下縁部を前記垂直状前後ガイドロール１４、１６のカバーを兼ねる前後凸部４、４にすると共に、該前後凸部４、４間に、当該情報表示テープ貼付装置Ｘ〜Ｚを長尺材７４、９１に載置（配設）した状態において、当該長尺材７４、９１高さの５０％以上を露出させる凹部５を構成することにより、下縁前後凸部４、４による垂直状前後ガイドロール１４、１６のカバー機能を確保しつつ、前後凸部４、４間の凹部５により、当該情報表示テープ貼付装置Ｘ〜Ｚを長尺材７４、９１周りに配して情報表示テープ４５を貼付する際、当該長尺材７４、９１の側部７６、９２、折り返し部７７への、情報表示テープ４５側縁部の貼付状態を、当該垂直平行状左右側板１、８１を透明にするか否かに係わらず、第１、第２操作者Ｐ１、Ｐ２が常時、直接視認して、仮に、異常が発見された場合には、第１操作者Ｐ１が情報表示テープ貼付装置Ｘ〜Ｚの押し進めを停止し、第２操作者Ｐ２が当該凹部５を介して必要な手直しをした後、直ち、第一操作者Ｐ１が情報表示テープ貼付装置Ｘ〜Ｚを押し進めて、情報表示テープ４５の通常の貼付を継続する。
また、垂直平行状左右側板１、８１の上開き案内溝２、８２に、情報表示テープロール４４の目地付き回転軸２５をそのまま装脱をでき、しかも、同上開き案内溝２、８２に昇降及び回転可能に装架する．ねじ付き回転軸２５に、互いに係合する凹凸部３４、３５を備える対称形の半割り状筒状芯３１、３１の端面３３、３３を、ねじ３９、３９締めした情報表示テープロール芯３０の、ねじ付き回転軸２５への取り部を同一構造に構成し、その外径を異なる寸法に構成することにより、同一規格のねじ付き回転軸２５に、異なる寸法の情報表示テープロール芯３０を装着でき、ひいては、部品共通化に基づくコストメリットを期待できる。
【００３６】（１３）請求項１１の発明によれば、垂直平行状左右側板１、８１の前後に、左右両側部に垂直状ガイドロール１４、１６：１４Ｂの間隔を調整可能に設けたガイドロールホルダ１０を、該垂直平行状左右側板１、８１下部の同一平面上の前後に、水平状可撓性ロール２１を夫々設け、該垂直平行状左右側板１、１の前記可撓性前ロール２１上位の上開き案内溝２、８２に、裏面の接着剤層４８に剥離テー４９が貼付され、表面のエスカレータ又は動く歩道の手摺ベルト、各種施設周りの区画柵等の長尺材７４、９１周りに係わる情報表示層４７を内側に巻き付けた情報標示テープロール４４との当接により、当該情報表示テープロール４４から巻き戻される情報表示テープ４５に適度な巻き戻し抵抗を発生させると共に、回転及び昇降可能に装架した情報表示テープ貼付装置Ｘ〜Ｚの前後部を、第１操作者Ｐ１が把持して停止する長尺材７４、９１の開放された一端部に配した後、前記情報表示テープロール４４と第１スペーサ１７との当接部から巻き戻して引き出したた情報表示テープ４５の端部４５Ａから、さらに、第２操作者Ｐ２が剥離テープ４９を剥離し、剥離テープ４９剥離後の情報表示テープ端部４５Ａを、前記可撓性前ロール２１の下部を介して停止する長尺材７４、９１の開放された一端部に貼付した後、第１操作者Ｐ１が当該情報表示テープ貼付装置Ｘ〜Ｚを長尺材７４、９１に沿って、その開放された他端部まで押進めて、当該情報表示テープ４５を停止する長尺材７４、９１に貼付する一方、この間に、前記第１操作者Ｐ１に追随する第２操作者Ｐ２が、遊離剥離テープ４９Ａを適所へ排出する。
【００３７】（１４）請求項１２の発明によれば、垂直平行状左右側板１の下部同一水平面上に設けた前後可撓性ロール２１、２１間の内側に、前記長尺材７４、９１よりやや広幅で、垂直状ブラシ足４８を備えるセンタブラシ４５と、該センタブラシ４５と前記可撓性後ロール２１との間に、水平状ブラシ足５３を備え、当該長尺材７４、９１よりやや高い高さＴの左右のサイドブラシ５０、５０を設け、当該情報表示テープ貼付装置Ｘ、Ｙの進行による、前記可撓性前後ロール２１とセンタブラシ４５及び左右サイドブラシ５０、５０との協同により、前記第１操作者Ｐ１による当該情報表示テープ貼付装置Ｘ〜Ｚの、当該頂尺材７４、９１に沿う押し進めにより、当該情報標示テープ４５を当該長尺材７４、９１の頂側部７５、７６に貼付する。
【００３８】（１５）請求項１３の発明によれば、垂直状前ガイドロール１４、１４Ｂの下部を、その上部より膨出する凹弧状又は裁頭円錐状１５、１５Ｂに構成した情報表示テープ貼付装置Ｘ〜Ｚの前後部の把持部６、７を、第１操作者Ｐ１が把持して停止する長尺材７４、９１の開放された一端部に配し、該情報表示テープ貼付装置Ｘ〜Ｚを、前記垂直状前ガイドロール１４、１４Ｂ下部の凹弧状又は裁頭円錐状膨出部１５、１５Ｂ周りの反時計方向に回動させて、その後部を停止する長尺材７４、９１の開放された一端部後面より上昇させた後、前記情報表示テープロール４４と第１スペーサ１７の当接部間から巻き戻し手引き出した情報表示テープ４５の端部４５Ａから、第２操作者Ｐ２が剥離テープ４９をさらに剥離する一方、該剥離テープ４９剥離後の情報表示テープ４５の端部４５Ａを第２スペーサ１８、可撓性前ロール２１の前側とその下部を介して、後部の上昇する情報表示テープ貼付装置Ｘ〜Ｚの下部と、前記長尺材７４、９１の開放された端部間に引き出し、この引き出した情報表示テープ端部４５Ａを、停止する長尺材７４、９１の開放された端部の頂側部７５、７６に貼付した後、第一操作者Ｐ１が後部の上昇する情報表示テープ貼付装置Ｘ〜Ｚを、前記垂直状前ガイドロール１４、１４Ｂ下部の凹弧状又は裁頭円錐状膨出部１５、１５Ｂ周りの時計方向に反転、降下させて、停止する長尺材７４、９１の開放された端部と平行状にした後、第１操作者Ｐ１が停止する階段７３を降りながら手摺ベルト７４の開放された他端部まで推し進めることにより、可撓性前後ロール２１、２１及び垂直状センタブラシ５０により当該情報表示テープ４５の中央部を、また、垂直状左右サイドブラシ５５により、当該情報表示テープ４５の左右両側部を夫々長尺材７４、９１の頂側部７５、９２：７６、９３に押圧して、貼付する。
【００３９】（１６）請求項１４の発明によれば、エスカレータ、動く歩道の乗降床７２に起立する第１操作者Ｐ１が、垂直平行状左右側板１、１前後の把持部６、７を把持した情報表示テープ貼付装置Ｘ、Ｙを、停止するエスカレータ７０又は動く歩道の、左右何れかの手摺ベルト７４の開放された一端部に平行状に配し、その可撓性前後ロール２１、２１を介して、当該情報表示テープ貼付装置Ｘ、Ｙ上の情報表示テープロール４４から巻き戻した情報表示テープ４５を押圧しながら、エスカレータ７０の停止する開放された階段７３の他端部まで降りながら、又は動く歩道を後退しながら押し進めて、開放された手摺ベルト７４の頂側部７５、７６の他端部まで貼付した後、前記エスカレータ７０又は動く歩道を駆動して、停止する手摺ベルト７４を、当該情報表示テープ貼付装置Ｘ、Ｙ並びに第１、第２操作者Ｐ１、Ｐ２と共に、前記情報表示テープ４５の貼付長さ相当量移動させて後停止させ、然る後、第１、第２操作者Ｐ１、Ｐ２による前記と同様な情報表示テープ４５の、停止する手摺ベルト７４への貼付を繰返して、．当該手摺ベルト７４全長の頂側部７５、７６に情報表示テープ４５を貼付し、次いで、当該エスカレータ７０又は動く歩道の停止状態、又はそれらの後退工程において、当該情報表示テープ貼付装置Ｘ、Ｙを一側手摺ベルト７４周りから外して、他側手摺ベルト７４の開放された一端部回りに配すると共に、この間に、当該情報表示テープ貼付装置Ｘ、Ｙの左右何れかの前部外側に取り付けた前ハンドル６があれば、該前ハンドル６を前記垂直平行状左右側板１、１の一側前部から他側前部へ移し替えた後、停止するエスカレータ７０又は動く歩道の手摺ベルト７４への情報表示テープ貼付装置Ｘ、Ｙによる前記と同様な情報表示テープ４５の貼付操作を繰り返して、他側手摺ベルト７４全長の頂側部７５、７６に情報表示テープ４５を貼付する。
【００４０】（１７）請求項１５の発明によれば、公園、名所、旧跡等の施設、各種展示物等周りの手摺、案内柵、区画柵等の長尺材９１の一端部、又は当該長尺材９１から起立する掲示物９８の隣接部、若しくは、情報表示テープ４５の貼付を必要とする領域の、長尺材９１の一端部周りに配した情報表示テープ貼付装置Ｚを、当該長尺材９１の他端部、又は隣接する起立掲示物９８、若しくは情報表示テープ４５の貼付を必要とする領域の他端部まで第１操作者Ｐ１が押し進めると共に、前記遊離剥離テープ４９Ａを、第２操作者Ｐ２が当該情報標示テープロール４４周りをその回転方向に沿う上方へ引出する一方、前記情報標示テープ４５を当該領域の長尺材９１の頂側部９２、９３に前記と同要領で貼付し、この間に第２操作者Ｐ２が遊離剥離テープ４９Ａを適所へ排出し、然る後、当該情報表示テープ貼付装置Ｚを隣接する長尺材９１、又は隣接する起立掲示物９８間の長尺材９１、若しくは情報表示テープ４５の貼付必要領域の長尺材９１端部へ移し替え、当該情報表示テープ貼付装置Ｚによる前記と同様な操作の繰返しにより、当該長尺材９１の全長若しくは全貼付必要領域の頂側部９２、９３に、情報表示テープ４５を貼付する。
【００４１】（１８）請求項１６の発明によれば、情報表示テープロール４４から巻き戻した情報表示テープ４５の、前後可撓性ロール２１、２１による長尺材７４、９１への貼付に当り、当該情報表示テープ４５裏面の接着剤４７から剥離した遊離薄利テープ４９Ａを、情報表示テープロール４４周りを、その回転方向に１周させた後、当該情報表示テープロール４４回りの情報表示テープ４５の情報表示層４７外側と、第１スペーサ１７との間に挿入してその前側に引き出し、この引き出した遊離剥離テープ４９Ａを、情報表示テープ４５の情報表示層４７の上側に配して、その上側から可撓性前後ロール２１、２１で押圧することにより、即ち、遊離剥離手プ４９Ａで情報表示テープ４５、殊に、その情報表示層４７を保護しながら、可撓性前後ロール２１、２１により情報表示テープ４５を手ベルト７４に貼付する。
【００４２】（２２）請求項１７の発明によれば、垂直平行状左右側板１、８１の前後に、左右両側部に垂直状ガイドロール１４、１６：１４Ｂの間隔を調整可能に設けたガイドロールホルダ１０を、該垂直平行状左右側板１、８１下部の同一平面上の前後に、水平状可撓性ロール２１、２１を夫々設け、該前後可撓性ロール２１、２１間の垂直平行状左右側板１内側に、前記エスカレータ７０又は動く歩道の手摺ベルト７４よりやや広幅で、垂直状ブラシ足４８を備えるセンタブラシ４５と、該センタブラシ４５と前記可撓性後ロール２１間に、水平状ブラシ足５３を備え、当該手摺ベルト７４よりやや高い高さＴの左右のサイドブラシ５０、５０を設け、かつ、垂直平行状左右側板１、８１の前記可撓性前ロール２１上位の上開き案内溝２、８２に、裏面の接着剤層４８に剥離テープ４９が貼付され、表面の当該手摺ベルト７４周りに係わる情報表示層４７を内側に巻付けた情報表示テープロール４４のねじ付き回転軸２５を回転及び昇降可能で、第１スペーサ１７との当接により、情報表示テープロール４４から巻き戻す情報表示テープ４５に適度な巻き戻し抵抗を賦与するように装架した情報表示テープ貼付装置Ｘ、Ｙ前後の把持部６、７を、当該手摺ベルト７４の開放された一端部周りの乗降床７２に起立する第３操作者Ｐ３が把持して、停止する開放された当該手摺ベルト７４の一端部周りに平行状に配した後、前記第３操作者Ｐ３とエスカレータ７０の開放された一端部の対向位置に起立する第４操作者Ｐ４が、前記情報表示テープロール４４と第１スペーサ１７の当接部から巻き戻した、情報表示テープ４５の端部４５Ａから剥離テープ４９を剥離して適所へ排出し、該剥離テープ４９剥離後の情報表示テープ４５の端部４５Ａを、停止する手摺ベルト７４の端部に貼付した後、第４操作者Ｐ４が手摺ベルト７４の低速駆動切換え可能なスイッチＳ、又は当該手摺ベルト７４の連動するエスカレータ７０若しくは動く歩道の低速駆動切換可能なスイッチをオンして、当該手摺ベルト７４を一周させ、当該情報表示テープ４５を手摺ベルト４７の頂側部７５、７６、７７に貼付し、この間に、第４操作者Ｐ．４が遊離剥離テープ４９Ａを適所へ排出して、情報表示テープ４５をエスカレータ７０又は動く歩道の手摺ベルトの頂側部７５、７６に半自動的に貼付する。
【００４３】（２０）請求項１８の発明によれば、手摺ベルト７４の開放された一端部周りの、乗降床７２に起立する第３操作者Ｐ３が、前記情報表示テープ貼付装置Ｘ、Ｙの前後の把持部６、７を把持して、その垂直平行状左右側板１、１前部の左右に平行状に設けた、前ガイドロール１４、１４Ｂ下部の凹弧状又は裁頭円錐状膨出部１５、１５Ｂ回りの反時計方向に回動させて、その後部を上昇させた後、第３操作者Ｐ３とエスカレータ７０の開放された端部の対向位置に起立する第４操作者Ｐ４が、当該情報表示テープ貼付装置Ｘ、Ｙ上の情報表示テープロール４５から巻き戻した情報表示テープ４５の端部４９Ａから、さらに剥離した剥離テープ４９を適所へ排出する一方、この剥離テープ４９剥離後の情報表示テープ端部４５Ａを停止する手摺ベルト７４の端部に貼付４５Ｂした後、第３操作者Ｐ３が後部の上昇する情報表示テープ貼付装置Ｘ、Ｙを、前記前ガイドロール１４、１４Ｂ下部の凹弧状又は裁頭円錐状膨出部１５、１５Ｂ回りの時計方向に回動させて、その後部を降下させて停止する手摺ベルト７４と平行状にした後、第４操作者Ｐ４が前記手摺ベルト７４の低速駆動切換可能なスイッチＳ、又は当該手摺ベルト７４の連動するエスカレータ７０若しくは動く歩道の低速駆動切換可能なスイッチをオンして、当該手摺ベルト７４を一周させて、当該情報表示テープ４５を手摺ベル４７の頂側部７５、７６に貼付し、この間に、第４操作者Ｐ．４が遊離剥離テープ４９Ａを適所へ排出し、然る後、第４操作者Ｐ４が、前記手摺ベルト７４の低速駆動切換可能なスイッチＳ、又は当該手摺ベルト７４に連動するエスカレータ７０若しくは動く歩道の低速駆動切換可能なスイッチをオフして、当該手摺ベルト７４を停止させ、情報標示テープ７４を手摺ベルト７の頂側部７５．７６に半自動的に貼付する。
【００４４】（２２）なお、前記垂直平行状左右側板１、８１の上縁を中高弧状３又は前高弧状８３に、また、その下縁部を前記垂直状前後ガイドロール１４、１６のカバーを兼ねる前後凸部４、４にすると共に、該前後凸部４、４間に、当該情報表示テープ貼付装置Ｘ、Ｙを前記長尺材７４、９１に載置した状態において、手摺ベルト７４の高さの５０％以上を露出させる凹部５を構成することにより、垂直平行状左右側板１、８１の側方から、第３操作Ｐ３と第４操作Ｐ４が、垂直平行状左右側板１、８１下部の凹部４から情報表示テープ側縁部の手摺ベルト側部７６、降り返し部７７への貼付状態を視認し、仮に、貼付不良が発見されれば、第４操作者Ｐ４が当該手摺ベルトの低速駆動切換可能なスイッチＳ、又は当該手摺ベルト７４の連動するエスカレータ７０若しくは動く歩道の低速駆動切換可能なスイッチをオフしてその進行を止め、当該凹部５を介して情報表示テープ４５の貼付不良の手直しをした後、第４操作者Ｐ４が当該手摺ベルトの低速駆動切換可能なスイッチＳ、又は当該手摺ベルト７４の連動するエスカレータ７０若しくは動く歩道の低速駆動切換可能なスイッチをオンして当該手摺ベルトを進行させ、当該情報表示テープ貼付装置Ｘ、Ｙによる情報表示テープ４５の貼付を継続する。
【発明を実施するための最良の形態】
【００４５】以下、この発明に係るエスカレータ、移動通路の手摺ベルト、各種施設周りの区画柵等の、長尺材への情報表示テープ貼付装置及び貼付方法の第１実施態様Ｘと、その一部の変形例を、図１〜２８を参照して、その第２実施態様Ｙ及びその変形例を、図２９〜３０を参照して、さらに、そのリハビリステーション施設の歩行者誘導装置９０へ適用する第３実施態様Ｚ（ただし、図３１では、長尺材への情報表示テープ貼付装置Ｚ自体は、その輪郭のみを破線で略示した）を、夫々参照して説明する。なお、第１〜３実施態様Ｘ〜Ｚに共通する部分には同一名称、同一符号を用い、また、第２、３実施態様Ｙ、Ｚについての説明においては、第１実施態様Ｘと共通する部分に付いての詳細な構造の図示及び説明を省略する。
【第１実施態様】
【００４６】図１〜２８はこの発明に係る、長尺材としてのエスカレータ７０、動く歩道等の手摺ベルト７４に、当該エスカレータ７０、動く歩道に係わる各種情報を、その手摺ベルト（長尺材）７４の情報表示層４７に表示する、長尺材への情報表示テープ緒付装置の第１実施態様Ｘを略示するもので、図１はエスカレータ７０の手摺ベルト７４への情報表示テープ貼付装置Ｘの模式側面説明図、図２はその一部を切除して略示する模式正面説明図、図３はその情報表示テープロール４４の一部を切除して略示する模式縦断説明図、図４のＡはそのセンタブラシ５０及びサイドブラシ５５の模式正面説明図で、図４のＢではその要部の模式側面説明図を同時に略示した。図５はそのガイドロールホルダ１０の模式平面説明図、図６はそのねじ付き回転軸２５の一部（上半部）を切除して略示する模式平面説明図、図７はその模式正面説明図及び模式側面説明図、図８はそのテープ押えリング４０の模式側面説明図及び模式正面説明図、図９はその位置合わせリング４１の模式側面説明図及び模式正面説明図、図１０は情報表示テープロール芯３０の半割り芯３１の模式平面説明図、図１１はその模式側面説明図、図１２はその半割り芯３１の、起立状態の模式側面説明図で、図１０のＡ−Ａ線及びＢ−Ｂ線に沿う断面図を併せて略示した。図１３は情報表示テープロール芯３０の模式側面説明図、図１４は第１ペーサ１７（第２スペーサ１８と同一構造）の模式側面説明図、図１５は可撓性ロール２１の軸の模式縦断説明図、図１６は可撓性ロール２１のスポンジ部２２の模式縦断説明図、図１７はセンタブラシホルダ５０の模式側面説明図及び模式正面説明図、図１８はその模式平面説明図、図１９はサイドブラシホルダブラケット６０の模式側面説明図及び模式正面説明図、図２０は垂直状前後ガイドロールの模式平面図及び模式式正面図、図２１はガイドロール軸１４Ａの模式正面説明図及び模式側面説明図、図２２及び図２３は情報表示テープ４５の拡大模式平面説明図及びその拡大模式縦断説明図、図２４は長尺頂材７４の端部に配した情報表示テープ貼付装置Ｘを、その前ガイドロール１４下部の凹弧状膨出部１５回りの反時計方向に回動させて、その後部を上昇させ、情報表示テープロール４４から巻き戻して引き出した情報表示テープ４５の端部４５Ａを、手摺ベルト７４の開放された端部に貼付する要領を略示する模式側面説明図、図２５はエスカレータ７０の開放された一（左）側手摺ベルト７４の一端部への、情報表示テープ貼付装置Ｘの配設要領の模式平面説明図で、同図２５では停止するエスカレータ７０の手摺ベルト７４の一端部に配設した情報表示テープ貼付装置Ｘの、左右の手摺ベルト７４、７４間の昇降床７２上に第Ｉ操作者Ｐ１が、その上部階段７３上に第２操作者Ｐ２が夫々起立する状態を略示する外、これに併せて、停止するエスカレータ７０の開放された一（上）端部の、左右手摺ベルト７４、７４間の昇降床７２上に第３操作者Ｐ３（２重破線丸で表示）が起立し（この第３操作者Ｐ３の起立位置：２重破線丸は、実際には同図２５の第２操作者Ｐ２の起立位置：破線丸位置：となるが、ここでは説明の便宜上、両者を区別して表示した）、第４操作者Ｐ４が左側手摺ベルト７４外側の２重破線丸位置（第３操作者Ｐ３の外側位置に起立する態様：第Ｉ７、１８請求項参照）を、同時に略示した。図２６はセンタブラシ５０の変形例（平面視、山形センタブラシ５０Ｄ）の模式平面説明図、図２７は垂直状前ガイドロール１４の変形例１４Ｂの模式平面説明図及び模式側面説明図、図２８は情報表示テープ４５の接着剤層４８から剥離した遊離剥離テープ４９Ａを、当該情報表示テープロール４４回りを、その回転方向Ｅト同方向に一周させた後、当該情報表示テープ４５の情報表示層４７上に配して保護視ながら貼付する要領の模式側面説明図である。
【００４７】図１〜２５において、１、１は中高凸弧状頂部３を備える垂直平行状左右側板、２は上開き案内溝で、上開き案内溝２の頂部は垂直平行状左右側板１、１の中高凸弧状頂部３に達し、適度に後傾し、当該垂直平行状左右側板１、１の水平状下部に対する起立角θ＝６０°とした。４は左右側板１、１下部前後の凸部で、前後凸部４、４は後述の垂直状前後ガイドロール１４、１６のカバーを兼ねる。５は前後凸部４、４間の凹部で、前後のガイドロール１４、１６によりガイドされる手摺ベルト７４の頂部７５に載置した状態において、少なくともその下半部が当該凹部５、５外側（当該垂直平行状左右側板１、１の左右方向）から、視認可能に露出させる。６、７は前後のハンドルで、前ハンドル６は垂直平行状側板１、１前部の左右何れかの前側に、着脱可能にねじ８付けされ、後ハンドル７は垂直平行状左右側板１、１の後部内側にねじ９により固定される。なお、この前ハンドル６は、図示しないが垂直平行状左右側板１、１の前部内側適所に、前記上開き案内溝２に、後述のねじ付き回転軸２５により、回転及び昇降可能に装架される、情報表示テープロール４４の機能を妨げないように、前記後ハンドル７と同様に、取り付けるように構成することができる。ここでは、このように、垂直平行状左右側板１、１の前部外側の、左右何れか交互に装脱可能に設けた前ハンドル６と、当該垂直平行状左右側板１、１の前部内側に設けた前ハンドル（図示省略）を含めて前把持部６と略称することがある。１０は前後の垂直状ガイドロール１４、１６のガイドロールホルダで、前後ガイドロールホルダ１０、１０は、垂直平行状左右側板１、１の前後にその高さを、縦穴１１を介して調節可能に取り付ける。１２は水平状横穴で、前後の垂直状ガイドロール１４、１６をねじ１４Ｄ、１６Ｄにより、その左右方向（図１２参照）の間隔を調整可能に設け、異なる寸法の手摺ベルト７４への配設を可能にする。１１はガイドホルダ１０の左右両端部の縦穴で、縦穴１１に沿ってガイドロールホルダ１０の位置（高さ）を調整し、対象とするエスカレータ７０の手摺ベルト７４に対する所定高さを維持して進行する、前後の垂直状ガイドロール１４、１６により、当該情報表示テープ貼付装置Ｘの高さが調整される。１２はガイドロールホルダ１０の左右両側部の水平状横穴で、水平状横穴１２に沿って前後の垂直状ガイドロール１４、１６を左右に移動させ、異なる幅の手摺ベルト７４への装脱を可能にする。１５は垂直状前ガイドロール１４下部の凹弧状膨出部で、垂直状前ガイドロール１４下部の該凹弧状膨出部１５の膨出することにより、情報表示テープ貼付装置Ｘの前部が、手摺ベルト７４側縁下部、殊に、その折返部７７の下部に当接し、その不用意な上昇、即ち、手摺ベルト７４周りからの当該情報表示テープ貼付装置Ｘの離脱を阻止する。
なお、情報表示テープ貼付装置Ｘの垂直平行状左右側板１、１は、所要の強度、剛性を備える左右対称形の薄鋼板により構成する外、例えば、透明な硬質アクリル樹脂板により構成することもでき、この場合には透明な硬質アクリル樹脂製の、垂直平行状左右側板１、１を介して、当該情報表示テープ貼付装置Ｘの操作状態を、透視できる。何れの垂直平行状左右側板１、１も、エスカレータ、動く歩道等の手摺ベルト７４を、通過させるに足る間隔を確保し、また、ガイドロールホルダ１０の横穴１２部内を、前後のガイドロール１４、１６を左右に移動、調節して、異なる寸法の手摺ベルト７４に沿うようにガイドされ、情報表示テープ４５の貼付を可能にする。
【００４８】１７、１８は第１、第２スペーサで、第１、第２スペーサ１７、１８の軸心（ねじ１９、２０と同心）と、可撓性前ロール２１の軸（取付ねじ２３と同心）と、頂部が開口し、第１スペーサ１７の軸心と傾斜する上開き案内溝２は略同一傾斜平面状上に位置するように配設される。この傾斜する上開き案内溝２の起立角θ＝６０°（一例）に構成すれば、通常のエスカレータ７０の傾斜角３０°との関連において、この情報表示テープ貼付装置Ｘを把持した第１操作者Ｐ１が、停止するエスカレータ７０の階段７３（図２５）を降りながら、その手摺ベルト７４に情報表示テープ４５を貼付する際、情報表示テープ貼付装置Ｘを把持する第１操作者Ｐ１による押圧方向が、通常のエスカレータ７０の階段７３の傾斜角３０°に対応して略直角状をなし、その結果、可撓性前ロール２１を介する情報表示テープ４５の、停止する手摺ベルト７４の頂部７５への押圧力賦与効率的が向上する。なお、第２スペーサ１８は第１スペーサ１７と平行し、それよりやや前側下位で、可撓性前後ロール２１よりやや上位に配設される。２２は可撓性前後ロール２１のスポンジ部、２３は可撓性前後ロール２１を垂直平行状左右側板１、１下部の同一平面上に回転可能に取り付けるねじである。
【００４９】２６はねじ付き回転軸２５のねじ部、２７、２８はねじ付き回転軸２５の小径軸部、フランジ、２９は調整錘で、調整錘２９はねじ付き回転軸２５の中央軸部（図６の符号２５の引出し線引出し部）に配設され、そのねじ穴２９Ａに図示しないねじを挿入してねじ付き回転軸２５に取付け、ねじ付き回転軸２５の重量を補足、調整する。ねじ付き回転軸２５のねじ部２６に、テープ押えフランジ４０（図９）、位置合せリング４１（図８）を介して、情報表示テープロール芯３０（図１０〜１３参照）を取り付け、同情報表示テープロール芯３０周りに情報表示テープ４５を巻き付けることにより、情報表示テープロール４４が構成され、情報表示テープロール４４周りと、第１スペーサ１７との当接に基づく、情報表示テープロール４４からの情報表示テープ４５の巻き戻し抵抗ってを適度に調整し、当該情報表示テープロール４４の不用意な空回り発生を阻止する。
因みに、ねじ付き回転軸２５の重量（自重）を充分確保できれば、調整錘２９を省略できる。また、図示しないが、ねじ付き回転軸２５の両端部を適度な弾力の引張りばね又はこれに代わる適度な押圧手段の設置等による、第１スペーサ１７側へ圧接する構成の選択により、前記調整錘２９を設けることなく、しかも、ネジ付き回転軸２５の重量増を招くことなく、情報表示テープロール４４からの情報表示テープ４５の巻き戻し抵抗の補足、調整架のなものを提供できる。なお、調整錘２９又は図示しない引張りばねによる情報表示テープ４５の巻き戻し抵抗の補足、調整する構成の採用により、ねじ付き回転軸２５を市販の規格材により構成し、仮に、重量不足があれば、その不足する重量に伴う不釣合い排除対策を、簡易構造のものの０選択を可能にする。
【００５０】３０は情報表示テープロール芯、３１は半筒状の半割り芯、３２は半割り芯３１の半リング状壁、３３は半割り芯３１の端面、３４、３５は半割り芯３１端面３３の、同一円筒面上の凹部、凸部で、両者３４、３５はほぼ同形、同大の対称形に構成される。３６は切り欠き部、３７は穴、３８は雌ねじ穴、３９は締めねじ、４０は情報表示テープ押えリング、４１は位置合せリング、４２は傾斜する位置合せ面で、半割り芯３１、３１端面３３、３３の凹凸部３４、３５を合せて、両者を締めねじ３９により締め付け、筒状の情報表示テープロール芯３０として構成する。なお、この情報表示テープロール芯３０は、単一の筒状芯として塑像することもできるが、その場合には、塑像された単一の筒状芯から、塑像型としての中子の抜き代排除加工等の対策を必要とする嫌いが残る。
【００５１】（センタブラシ、サイドブラシ）  センタブラシ５０の垂直状ブラシ足５３、サイドブラシ５５の水平状ブラシ足５８は高弾性、高剛性、高強度、低摩擦係数の合成樹脂材製で、毛足のやや長いブラシ足として構成され、情報表示テープ４５を、適宜断面形状の手摺ベルト７４の頂部７５、側部７６、折り返し部７７の形状に沿うように、適度に押圧しながら押し進めて貼付可能に構成され、そのセンタブラシ５０の垂直状ブラシ足５３、サイドブラシ５５の水平状ブラシ足５８により、情報表示テープ４５の情報表示層４７の上面から、後述の遊離剥離テープ４９Ａを介して押圧、貼付する事ができる。センタブラシ５０の長さＷ（図４参照）は、少なくとも手摺ベルト７４の幅Ｂより長く、サイドブラシ５５の長さＴ（図４参照）は、少なくとも手摺ベルト７４の厚さＣより厚い（長い）長さのものとして構成される。なお、垂直平行状左右側板１、１の前部外側の何れか一方に、前ハンドル６を交互にねじ８止めして、この情報表示テープ貼付装置Ｘをエスカレータ７０の、左右移動手摺ベルト７４、７４の何れか一方に交互に配設し、その頂部７６、側部７７、折り返し部７８への情報表示テープ４５を貼付する状態における、第１操作者Ｐ１の良好な使い勝手確保を容易にする。
また、第１実施態様では、センタブラシ５０の垂直状ブラシ足５３（図４Ｂ参照）が、垂直平行状左右側板１、１の水平状下部（図１における停止する手摺ベルト７４の頂面と平行する面ｈ）に対する起立角θ（この例では、θ＝６０°）起立する傾斜状をなすものとして構成される。この状態におけるセンタブラシ５０の垂直状ブラシ足５３は、当該垂直平行状左右側板１、１と同方向（図１では左右方向）の同一垂直平面上に位置し、また、情報表示テープ貼付装置Ｘの進行に伴って、センタブラシ５０の垂直状ブラシ足５３が湾曲する状態においても、垂直状ブラシ足５３は前記垂直状平面と同一平面内において湾曲する。
【００５２】５１はセンタブラシ５０のセンタブラシホルダ、５２はセンタブラシ止ねじ、５３はセンタブラシ５０の垂直状ブラシ足、５５は左右のサイドブラシ、５６はサイドブラシホルダ、５７はサイドブラシ止ねじ、５８はサイドブラシ５５の水平状ブラシ足で、垂直状ブラシ足５３、水平状ブラシ足５８は高弾性、高剛性、高強度、低摩擦係数の合成樹脂材製で、毛足のやや長いブラシ足として構成され、情報表示テープ４５を、適宜形状の手摺ベルト７４の頂部７５、側部７６、必要に応じて折り返し部７７の形状に沿うように押圧、貼付可能に構成され、センターブラシ５０、サイドブラシ５５の垂直状ブラシ足５３、水平状ブラシ足５８により、情報表示テープ４５の情報表示層４７の上面から直接、又は、遊離剥離テープ４９Ａを介して（図２８参照）、押圧、貼付される。なお、図示しないが、例えば、手摺ベルト７４の頂部７５のみに情報表示テープ４５を貼付する場合には、センターブラシ５０の垂直状ブラシ足５３により、後述の遊離剥離テープ４９Ａを介し、又は介することなく直接情報表示テープ４５の情報表示層４７の上面から押圧する貼付する構造選択を可能にする。センタブラシ５０の長さ（幅）Ｗは、少なくとも手摺ベルト７４の幅Ｂより長く、サイドブラシ５５の長さＴは、少なくとも手摺ベルト７４の厚さＣより厚い（長い）長さに構成される。センタブラシ５０の垂直状ブラシ足５３及びサイドブラシ５５の水平状ブラシ足５８により、情報表示テープ４５の情報表示層４７に表示される、当該エスカレータ等に係わる各種情報（図２２では、「○、□、△、長方形、Ｙ、ジグザグ模様等」により例示した）を、エスカレータ７０の手摺ベルト７４の頂部７５、側部７６、折り返し部７７の様々な形状に追随する貼付を可能に構成する。７１はエスカレータ７０の駆動装置で、駆動装置７１はエスカレータ７０を通常の運行速度で駆動可能にする外、例えば、当該エスカレータ１０の定期検査のために必要な低速駆動と同様な、情報表示テープ４５を手摺ベルト７４に貼付するのに好適な低速度（例えば、３〜１０ｍ／ｍ、好ましくは５〜８ｍ／ｍ程度）に切換え可能なものとして構成され、後述の第１操作者Ｐ１による情報表示テープ４５の貼付操作の終了後、当該エスカレータ７０を後退させるのに好適な速度での駆動を可能に構成され、第一実施態様においては、通常は第２操作者Ｐ２により、オン、オフ操作される。７３はエスカレータ７０の階段である。
【００５３】（情報表示テープ貼付装置Ｘの組み付け）垂直平行状左右側板１、１間に後ハンドル７、第１、第２スペーサ１７、１８、可撓性前後ロール２１、２１、センタブラシ５０を配し、夫々の位置において回転可能に取り付け、垂直平行状左右側板１、１の所定間隔を確保するように取り付け、固定する。センタブラシ５０は垂直状ブラシ足５３の下端が、当該垂直平衡状左右側板１、１と直交する垂直面に対して、例えば、３０°後退するように、また、サイドブラシ５５は、その下位の水平状ブラシ足５８が上位の水平上ブラシ足５８に対して、例えば、４５°後退するように固定される。なお、センタブラシ５０の垂直状ブラシ足５３を垂直状に、また、サイドブラシ５５の水平状ブラシ足５８を水平状に配設することもできる（ここでは図示省略）。ガイドロールホルダ１０、１０は、垂直平行状左右側板１、１の前後に、その竪穴１１、１１にねじ１３、１３を挿入して取り付ける。ガイドロールホルダ１０、１０の横穴１２、１２に前後ガイドロール１４、１６を配し、エスカレータ７０の手摺ベルト７４の幅、高さ等に合せ、走行可能に取付け、必要に応じて、それらの高さ、幅に適合するように調整し、夫々を回転可能に支承する。前ハンドル６は垂直平行状左右側板１、１の前部外側の、左右何れか側にねじ８留めし、後ハンドル７は垂直平行状左右側板１、１の後部にねじ９止めする。なお、この前ハンドル６は、図示しないが、前記後ハンドル７と同様な構造ハンドル構造にすると共に、垂直平行状左右側板１、１前部の内側に、前記後ハンドル７と同方向で、前記上開き案内溝２に回転及び昇降可能に装架されるねじ付き回転軸２５上の情報表示テープロール芯３０に、巻き付けた情報標示テープロール４４周りと干渉しない位置に、設ける構成を選択吸うＲこともできる。
【００５４】（ねじ付き回転軸と調整錘）  仮に、情報表示テープ４５を巻き付けた情報表示テープロール４４のねじ付き回転軸２５に必要な重量（第１スペーサ１７に当接する状態の情報表示テープロール４４周りから巻き戻す情報表示テープ４５に、適度な巻き戻し抵抗を発生するに足る重量）を確保できれば、調整錘２９を省略できる。また、図示しないが、ねじ付き回転軸２５の両端部を適度な弾力の引張りばね等により、第１スペーサ１７側へ張引する構造の選択により、調整錘２９を設けることなく、しかも、ネジ付き回転軸２５の、実質的な重量増を招くことなく、情報表示テープ４５の巻き戻し抵抗の補足、調整を行える。尤も、調整錘２９又は引張りばね（図示省略）による巻き戻し抵抗の補足、調整構成の採用により、ねじ付き回転軸２５を、市販の規格棒材の切削加工構成によって、仮に、重量不足が生じた場合における、不足する重量の補足構造の選択を容易にする。
ねじ付き回転軸２５は、図６のように構成され、後述の情報テープロール芯３０及び同ロール芯３０に巻き付ける情報表示テープロール４４のひつような重量等を予め想定し、当該重量を備える情報表示テープロール４４とその情報表示テープロール芯３０を取り付けたネジ付き回転軸２５を、垂直平行状側板１、１の上向き案内溝２に回転及び昇降可能に挿入した際、情報表示テープロール４４と第１スペーサ１７の当接部に発生する押圧力（負荷）を想定し、若しくは実測して、情報表示テープ４５の巻き戻し抵抗に不足があれば、その不足する押圧力に相応する重量を補足する調整錘２９を、ねじ付き回転軸２５の中央部（図６の符号２５の引き出し線付与部）に予め配して、その締め付け穴２９Ａを介してねじ止め固定し、ねじ付き回転軸２５の必要な重量を確保する。係る構成の採用により、ねじ付き回転軸２５を市販の規格寸法棒材からの選択を可能にする。
【００５５】（情報表示テープロール芯と、情報表示テープの巻き付け）  半割り芯３１、３１端面３３、３３の凹凸部３４、３５を合せた後、両者を締めねじ３９で締め付けて構成した情報表示テープロール芯３０への情報表示テープ４５の巻き付けは、まず、ねじ付き回転軸２５の中央部に適度な重量の調整錘２９を取り付けた後、その左右ねじ部２６、２６の一方に位置合せリング４１、情報表示テープ押えリング４０の順に挿入する。一方、一対の半割り芯３１、３１の端面３３を当接させて、ねじ３９止めした情報表示テープロール芯３０を、ねじ付き回転軸２５の他側から挿入し、その外側を位置合わせリング４１の位置合せ面４２で押し、当該情報表示テープロール芯３０をネジ付き回転軸２５の中央部に取り付け、情報表示テープ押えリング４０で締めて固定する。然る後、図示しない適宜巻取り装置（台）の軸受に、情報表示テープロール芯３０を取り付けたねじ付き回転軸２５端部の小径軸２７を支承した後、情報表示層４７に目的とする情報の表示された情報表示層４７を備える情報表示テープ４５の端部４５Ａを、情報表示テープロール芯３０周りに、例えば、接着テープ貼り等により固定する。次いで、例えば、情報表示テープリング４０を人手で回転させて、情報表示テープ４５を所要長さ（例えば、目的とするエスカレータ７０の左右手摺ベルト７４、夫々の２倍長強）、情報表示テープロール芯３０に巻き付ける（ここまでの作業は工場内で実施できる）。情報表示テープ４５を所要長さ巻き付けた情報表示テープロール４４の、情報表示テープロール芯３０の、ねじ付き回転軸２５端部の小径軸２７を、垂直平行状左右側板２の上開き案内溝２に、その頂部開口からの装架は、情報表示テープ４５の貼付現場においてする外、工場、倉庫等においてすることもできる。情報表示テープロール４４の装架された情報表示テープ貼付装置Ｘを、情報表示テープ４５の貼付を必要とするエスカレータ７０の設置された手摺ベルト７４周りに搬送する。
【００５６】（第１実施態様の作用）
情報表示テープ４５の情報表示層４７を外側に、裏面の接着材４８に貼付された剥離テープ４９付裏面を内側に巻付けた情報表示テープロール４４を、ねじ付き回転軸２５のねじ部２６に情報表示テープ押えリング４０、位置合せリング４１を介して情報表示テープロール芯３０に取付け、このねじ付き回転軸２５端部の小径軸２７を、情報表示テープ貼付装置Ｘの垂直平行状左右側板１、１の上開き傾斜状案内溝２、２に回転及び、昇降可能に装架し、情報表示テープロール４４周りを第１スペーサ１７に当接させる（ここまでは、通常、工場等において予め準備する）。第１操作者Ｐ１がこの情報表示テープ貼付装置Ｘの前後ハンドル６、７を把持して、図２５のようにエスカレータ７０の左側（右側も可）手摺ベルト７４の停止する一端（図２５では上端）部まわりに、当該手摺ベルト７４の開放された端部と平行状には配し、可撓性前後ロール２１、２１を、左側手摺ベルト７４の開放された上端頂部７５（図２４）に載せ、垂直状前後ガイドロール１４、１６を前後のガイドロールホルダ１０、１０の横穴１２、１２に沿って左右に移動、調節し、ねじ１４Ｄ、１４Ｄ……を緩めてその幅（図２では左右、図５では横穴１２の左右）方向に移動させ、手摺ベルト７４前あと部（図１左側及び右側）の左右（図２）両側部に当接させ、それぞれの位置にねじ１４Ｄ、１４Ｄ止めする。
【００５７】（情報表示テープの手摺ベルトへの貼付１）  図２５のように、情報表示テープ貼付装置Ｘを、エスカレータ７０の乗客昇降床７２に起立する第１操作者Ｐ１が把持して（ただし、この状態では、図２５の第３、４操作者Ｐ３、Ｐ４は欠落）、その手摺ベルト７４の開放された上端部に平行状に配し、必要に応じて、垂直状前後ガイドロール１４、１６を手摺ベルト７４幅に合わせて固定する。然る後、情報表示テープ貼付装置Ｘを垂直状前ガイドロール１４下部の、凹弧状膨出部１５まわりの反時計方向に回動させて後部を上昇させ（図２４）、手摺ベルト７４の頂部７５との間に隙間を確保する。この際、第２操作者Ｐ２は上部の階段７３上に後（情報表示テープ貼付装置Ｘ）側向きに起立する。情報表示テープロール４４回りの、第１スペーサ１７との当接部を越える前側（図２４では左側）から、情報表示テープ４５の端部４５Ａを巻き戻し（引き剥がし）、同端部４５Ａからさらに剥離テープ４９を剥離し、遊離した剥離テープ４９Ａを第２操作者Ｐ２が、例えば、図２４に１点鎖線４９Ａで略示するように、情報表示テープロール４４の回転方向Ｅに沿う上方へ引き上げて適所へ排出し、第２操作者Ｐ２が情報表示テープ４５の端部４５Ａを、第２スペーサ１８の前側、可撓性前ロール２１の下部を介して、垂直平行状左右側板１、１下部の凹部５まで引張り、その引出した端部４５Ａを図２４の破線４５Ｂのように手摺ベルト７４の頂部７５、側部７６、必要に応じて、その折り返し部７７：ただし、図２４では手摺ベルト７４の折り返し部７７への、情報表示テープ端部４５Ａ側縁部の貼付状態の図示は省略：に貼付する。然る後、第１操作者Ｐ１が後部の上昇する情報表示テープ貼付装置Ｘを、垂直状前ガイドロール１４下部の凹弧状膨出部１５回りの時計方向に反転、降下させて、水平状手摺ベルト７４と平行状に戻し、可撓性前後ロール２１、２１により、同端部４５Ａを手摺ベルト７４に貼付した情報表示テープ４５の適度な押圧状態を確保する。
【００５８】（情報標示テープの貼付１）  エスカレータ７０の乗降床７２上に起立する第１操作者Ｐ１が、情報表示テープ貼付装置Ｘを左側手摺ベルト７４の開放された上端部周りに配し、図２５のＰ２に起立する第２操作者が、情報表示テープロール４４と第１スペーサ１７との当接部間を越える前側（図２４では左側）の情報表示テープロール４４周りから巻き戻した、情報表示テープ４５の端部４５Ａからさらに剥離テープ４９を剥離し、遊離した剥離テープ４９Ａを情報表示テープロール４４周りに沿い、その右上方へ巻き戻して（引張って）、当該エスカレータ７０周りの適所への排出し、剥離テープ４９剥離後の情報表示テープ４５の端部４５Ａを、第２操作者Ｐ２が引張って第２スペーサ１８の前側、可撓性前ロール２１の下側を介して情報表示テープ貼付装置Ｘの下側、可撓性後ロール２１近傍まで引き出し、同端部４５Ａを停止する手摺ベルト７４の頂部７５、側部７６に、破線４５Ｂで示すように貼付する。この際、手摺りベルト７４に折り返し部７７があり、情報表示テープ７４の端部７５Ａ側縁部に余裕があれば、第２操作者Ｐ２が情報表示テープ４５の側縁部を、停止する手摺ベルト７４の折り返し部７７に、同時に貼付する（図２４ではその図示を省略）。また、情報表示テープ貼付装置Ｘの後部（図２４では右側部）が同図のように上昇すれば、垂直状前ガイドロール１４下部の凹弧状膨出部１５周りの時計方向に回転させて、手摺ベルト７４の開放された上端部と平行状に配し、前後の可撓性ロール２１、２１により、情報表示テープ４５を手摺ベルト７４の頂部７５に押圧し、貼付準備をする。この際、センタブラシ５０により情報表示テープ４５の中央部を、手摺ベルト７４の頂部７５に  前側可撓性ロール２１のやや右側（図２４）で押圧し、また、左右のサイドブラシ５５により情報表示テープ４５の左右両側縁部を、手摺ベルト７４の側部７６に押圧、貼付する。なお、手摺ベルト７４に折り返し部７７があれば、情報表示テープ４５の左右両側縁部をサイドブラシ５５下部の水平状ブラシ足５８により、同時にその折り返し部７７に押圧、貼付する。
【００５９】情報表示テープ貼付装置Ｘの前項部６、７を把持する第１操作者Ｐ１がこの押圧状態を確保しながら、第２操作者Ｐ２と共に、停止するエスカレータ７０の階段７３を降り、情報表示テープ貼付装置Ｘを停止する手摺ベル７４に沿って、その開放された下端部まで押し進めると、情報表示テープ４５が可撓性前後ロール２１、２１、センタブラシ５０の垂直状ブラシ足５３、サイドブラシ５５の水平状ブラシ足５８により、開放さた停止する手摺ベルト７４の頂側部７５、７６に、その縦断面形状に沿うように押圧、貼付する。情報表示テープ貼付装置Ｘの進行により、センタブラシ５０の垂直状ブラシ足５３が、情報表示テープ４５の情報表示層４７に当接し、情報表示テープ４５が手摺ベルト７４頂部７５の表面形状に沿うように、当該手摺ベルト７４の最大幅｛図２４では手摺ベルト７４の厚さ（Ｃ）方向の中央部より上位（中央部より下位に垂下する情報表示テープ４５の端縁４５Ａ部があれば、サイドブラシ５５の水平状ブラシ足５８下部により手摺ベルト７４の折り返し部７７にも貼付されるが、図２４では図示省略）｝に亘り、表示テープ４５を貼付し、この間、第２操作者Ｐ２は遊離剥テープ４９Ａを上方へ引張り、適所への排出する。
【００６０】（残る手摺ベルトへの情報表示テープの貼付）  次に、停止するエスカレータ７０のこの状態における、開放される範囲の階段が、当該エスカレータ７０周りの囲いにより隠れる領域まで、即ち、停止する階段７３の開放された下部が、開放される上部位置に達するまで、当該エスカレータ７０を移動（上昇）させ、同時に手摺ベルト７４、情報表示テープ貼付装置Ｘを、当該エスカレータ７０に乗る第１、第２操作者Ｐ１、Ｐ２と共に、同距離移動（上昇）させた後、エスカレータ７０を停止させ、手摺ベルト７４、情報表示テープ貼付装置Ｘ、第１、第２操作者Ｐ１、Ｐ２をその位置に止めた後、第１、第２操作者Ｐ１、Ｐ２が前記と略同要領で、情報表示テープ貼付装置Ｘを操作して、情報表示テープ４５を手摺ベルト７４の頂側部７５、７６に貼付する。係る操作を数回繰返ことにより、当該手摺ベルト７４の全長の長側部７５、７６への情報表示テープの貼付を終了する。なお、情報表示テープ４５の手摺ベルト７４の頂側部７５、７６、折り返し部７７への最後の貼付長さは、当該手摺ベルト７４への情報表示テープ４５の未貼付長さとなり、当該停止するエスカレータ７０の手摺ベルト７４を、その残存する未貼付長さ相当す長さ上昇させればよい。
【００６１】（他側手摺ベルトへの情報表示テープの貼付）  一（例えば、左）側手摺ベルト７４への情報表示テープ４５の貼付終了後、情報表示テープ貼付装置Ｘを左側手摺ベルト７４周りから外し、前ハンドル６が情報表示テープ貼付装置Ｘの、垂直平行状左右側１、１の前部外側に取り付けられていれば、他（右）側の垂直平行状側板１の前部外側に取付け（ただし、前ハンドルが垂直平行状左右側板１、１の前部間に設けられた場合には、この操作はない）、他（右）側手摺ベルト７４の開放された端部周りに、前記と略同要領で配設する。然る後、情報表示テープ貼付装置Ｘによる前記と同様な情報表示テープ４５の貼付操作を繰返し、情報表示テープ４５を他（右）側手摺ベルト７４全長の頂側部７５、７６に貼付する。
なお、一（例えば、左）側手摺ベルト７４への情報表示テープ４５の貼付終了後、一側手摺ベルト７４回りから情報表示テープ貼付装置Ｘを取外し、前ハンドル６を当該情報表示テープ貼付措置Ｘの他側側板１の前側外側に取付けて、他側手摺ベルト７４回りに配設するのは、一側手摺ベルト７４への情報表示テープ４５の貼付終了直後に代えて、一側手摺ベルト７４への情報表示テープ４５の貼付終了後、停止するエスカレータ７０を、当該状態における開放された下部が上部へ上昇するまで動かしてから停止させた後、又は、その上昇途中において、その移し替えを行う事もできる。エスカレータ７０の両側手摺ベルト７４への、情報表示テープ４５の貼付終了後、情報表示テープ貼付装置Ｘをその手摺ベルト７４まわりから外し、他のエスカレータの手摺ベルトへの情報表示テープ貼付装置Ｘによる貼付に備える。
【００６２】（情報表示テープの貼付方法２）  次に、第１実施態様の情報表示テープ貼付装置Ｘにより、その情報表示テープロール４４から巻き戻した情報表示テープ４５の端部４５Ａを、エスカレータ７０の手摺ベルト７４に、情報表示テープロール４４と第１スペーサ１７の当接部間を介して、その前（図１、２４、２８では左：ただし、図２４における一点鎖線４９Ａの遊離剥離テープ移動軌跡を除く）側に引き出し、同引出し端部４５Ａからさらに剥離した遊離剥離テープ４９Ａを、図２８のように情報表示テープロール４４周りを時計方向に１周りさせた後、該遊離剥離テープ４９Ａを情報表示テープロール４４下部と第１スペーサ１７の上部間を通してその前（図２８では左）側へ引出し、この引出した情報表示テープ４５の端部４５Ａ（この情報表示テーブ端部４５Ａへの剥離テープ４９の貼付はない）を、第２スペーサ１８の前側、可撓性前ロール２１の下側を介して、換言すれば、情報表示テープ４５の引出し端部４５Ａの、情報表示層４７の上面（図２８の右側下部の、情報表示テープ４５の模式拡大説明図参照）に配して、当該情報表示層４７を遊離剥離テープ４９Ａ（図２８の１点鎖線参照）により保護しながら、可撓性前後ロール２１、２１、センタブラシ５０、サイドブラシ５５｛図１、図４、図２４（ただし、図２４中の一点鎖線４９Ａの遊離剥離テープを除く）図２８参照｝の協同により、情報表示テープ４５を手摺ベルト７４の頂部７５、側部７６、折り返し部７７に貼付する。なお、この状態における情報表示テープ本体４６、その接着剤４８及び遊離剥離テープ４９Ａの誘導軌跡を、図２８における実線４６、細かい破線４８及び１点鎖線４９Ａ（図２８の右側下部も参照）により模式的に略示した。この情報表示テープ本体４６は、その裏面の接着剤４８により、移動手摺ベルト７４の頂部７５、側部７６、折り返し部７７に貼付される。この状態において、可撓性前後ロール２１、２１、センタブラシ５０、サイドブラシ５５により、遊離剥離テープ４９Ａを介して情報表示層４７、情報表示テープ本体４６が手摺ベルト７４の頂部７５、側部７６、折り返し部７７に押圧され、その間、図２８の１点鎖線で示す遊離剥離テープ４９Ａにより、情報表示テープ本体４６及び情報表示層４７、殊に、情報表示層４７が保護される。
【００６３】情報表示テープ４５のテープ本体４６表面には、各種情報４７が表示され、裏面の接着材４８に剥離テープ４９の貼付される表示テープ４５を、その表示層４７を外側、裏面を内側に巻き付けた表示テープロール４４を情報表示テープロール芯３０に巻き付け、この情報表示テープロール４４から巻き戻した情報表示テープ本体４６を、手摺ベルト７４の頂側部７５、７６、さらにはその折り返し部７７まで、その形状に沿うように、センタブラシ６０の垂直状ブラシ足５３、サイドブラシ５５の水平状ブラシ足５８により順次押圧して、情報表示テープ本体４６を手摺ベルト７４の頂側部７５、７６、さらには、その折り返し部７７まで貼付して、情報表示テープ４５の情報表示層４７を当該施設への来訪者、殊に、当該エスカレータ７０利用者の掴む手摺ベルト７４上に表示し、直ちに、しかも、平易、確実な視認、告知をする。なお、その余の構造、作用、効果は、前記第１実施態様の情報表示テープ貼付装置Ｘの貼付手法とほぼ同様である。
【第１実施態様の変形例】
【００６４】（センタブラシの変形例）  長尺材への情報表示テープ貼付装置の第１実施態様Ｘは、そのセンタブラシ５０を、図２６の模式平面説明図に略示するように、平面視が山形状５０Ｄをなす変形例として構成することができる。なお、図２６では手摺ベルト７４の位置を、平面視が山形状をなす変形センターブラシ５０Ｄに対して、手摺ベルト７４を９０°回転させた状態を、破線で同時に略示した。この平面視山形状５０Ｄをなすセンタブラシ５０の変形例は、その垂直状ブラシ足５３（図４Ａ、Ｂ、図１７Ａ、Ｂ参照）の左右両側部が、その中央のブラシ足５３より適度に後退し、その平面視が、全体として中央部の高い山形状をなし、このようにセンタブラシ５０Ｄを構成すれば、全体が一直線状をなす、第１実施態様のセンタブラシ５０に比べて、中高山形状センタブラシ（変形例）５０Ｄの左右両側端部のブラシ足が、その中央部のブラシ足より、僅かながら遅れて情報表示テープ４５の上面に当接し、その結果、当該情報表示テープ４５の中央部より左右両側部が遅れて、そのブラシ足（山形センタブラシ５０Ｄの）により押圧、貼付され、仮に、情報表示テープ４５下面と手摺ベルト７４の頂部７５間に空気溜まりＫがあれば、この場合には中央部に発生した空気溜まりＫが、当該情報表示テープ貼付装置Ｘの進行に伴い、順次左右側へ送られ、その左右両側端部から大気中に排出される。その予の構造及び作用は前記第１実施態様と同様である。なお、図２６では中央部より左右両側部が後退して、平面視が山形状をなす変形例をのセンタブラシ５０Ｄを略示したが、その山の頂部を左右何れか側に多少ずらしても良く、さらに、山の左右の傾斜を多少変えることもできる。また、この変形例の山形ブラシ５０Ｄは、図示しないが、平面視が適度に傾斜する（左右何れの端部側が、その他端部側より後退する）一直線状をなすブラシとして構成することもできる。
【００６５】（垂直状前ガイドロールの変形例）  垂直状前ガイドロール１４下部の凹弧状膨出部１５は、図２７のＡ、Ｂの模式平面説明図及び模式側面説明図に略示するように、筒状上半部１４Ｂよりその下半部を、外側へ膨出する裁頭円錐状１５Ｂに構成でき、この変形例の裁頭円錐状前カイドロール１５Ｂも、当該裁頭円錐状膨出部１５Ｂにより、情報表示テープ貼付装置Ｘの前部が、手摺ベルト７４の側縁下部に当接し、その上方への不用意な上昇、離脱を阻止する等、図２０のＢに略示した、下半部に凹弧状膨出部１５のある垂直状前ガイドロール１４と同様に、図２０のＡに略示した垂直状後ガイドロール１６との協同により、前記と略同様な動作をする。
【第２実施態様】
【００６６】次に、この発明に係る情報表示テープ貼付装置の第２実施態様Ｙを、図２９、３０を参照して説明する。なお、前記図１〜２８に略示した第１実施態様（その変形例を含む）の情報表示テープ貼付装置Ｘと共通する部分には、同一名称、同一符号を用いる。図２９はその模式側面説明図、図３０はその一部を切除して略示する模式正面説明図である。図２９、３０において８１、８１は前高上縁部８３を備える垂直平行状左右側板、８２は垂直平行状左右側板８１、８１の前高部に垂直状に設けた上開き案内溝である。第２実施態様の情報表示テープ貼付装置Ｙは、垂直平行状左右側板８１、８１の頂部を前高弧状８３に構成すると共に、上開き案内溝２２を垂直状に構成した点、及び第１スペーサ１７、可撓性前ロール２１を、垂直状の上開き案内溝８２の直下に配した外は、前記第一実施態様Ｘと共通する。垂直状の上開き案内溝８２内にねじ付き回転軸２５Ｂを介して昇降及び回転可能に装架された情報表示テープロール４４の全重量ｗが、第１スペーサ１７との当接部に掛かり、当該情報表示テープロール４４から巻き戻される情報表示テープ４５の巻き戻し抵抗（正確には、情報表示テープロール４４の全重量ｗと、第１スペーサ１７との当接部間における摩擦係数との積）となる。そしてこの巻き戻し抵抗は、傾斜する上開き案内溝２を備える第１実施態様Ｘにおける巻き戻し抵抗よりやや大きくなる。前記第１実施態様Ｘにあっては、情報表示テープロール４４の全重量ｗ×ｓｉｎθ：ただし、θは上開き案内溝２の水平面ｈからの立ち上がり角、なお、情報表示テープロール４４の全重量ｗと、第１スペーサ１７との当接部間における摩擦係数に係わる事項は、両者に共通する。その余の構造及び作用は前記第一実施態様Ｘと略同様である。
【情報表示テープ貼付装置Ｘ、Ｙによる、情報表示テープの半自動貼付方法】
【００６７】前記頂尺材への情報表示テープ貼付装置Ｘ、Ｙは、その手摺ベルト７４の駆動装置７１の低速駆動切換可能なスイッチＳを、例えば、５〜１０ｍ／ｍ程度の低速駆動切換可能な回路構成を備える切換スイッチＳ、又は、当該手摺ベルト７４の連動するエスカレータ７０の低速駆動（例えば、５〜１０ｍ／ｍ程度）可能な切換スイッチを備える回路構成を併設することにより、エスカレータ７０の乗降床７２に起立する第３操作者Ｐ３が、その垂直平行状左右側板１、１：８１、８１の前後把持部６、７を把持すると共に、前記第３操作者Ｐ３と当該手摺ベルト７４の端部を介して対向位置に起立する第４操作者Ｐ４が、前記情報表示テープ貼付装置Ｘ、Ｙの、上開き案内溝２、８２に回転及び昇降可能に装架したねじ付き回転軸２５上の、情報表示テープロール４４から巻き戻した情報表示テープ４５から、剥離した剥離テープ４９を、前記第３操作者Ｐ３と当該エスカレータ７０の水平状端部を介して対向する位置に起立する第４操作者Ｐ４が、当該エスカレータ７０周りの適所へ排出すると共に、剥離テープ４９剥離後の情報表示テープ４５の端部４５Ａを、前記手摺ベルト７４の頂側部７５、７６に緒付した後、第４操作者Ｐ４が前記低速駆動可能な切換スイッチＳ又は当該手摺ベルト７４の連動するエスカレータの低速駆動可能な切換スイッチをオンして低速駆動することにより情報表示テープを緒付し、この間に第４操作者Ｐ４が遊離剥離テープ４９Ａを適所へ排出する、情報表示テープ４５の手摺ベルトへの半自動式貼付方法を提供する。
【００６８】即ち、前記長尺材へ情報表示テープ貼付装置ＸＹは、垂直平行状左右側板１、１：８１、８１の前後部に前後把持部６、７を備えると共に、その下部同一平面上の前後に、一対の可撓性ロール２１、２１を配設したことにより、当該情報表示テープ貼付装置Ｘ、Ｙを手摺ベルト７４の水平状上部又は水平状下部に配設し、載置した際、前後の可撓性ロール２１、２１により手摺ベルト７４上下の水平状と実質的に平行状に載置される。また、この垂直平行状左右側板１、１：８１、８１の前後部の前後把持部６、７を、第３操作者Ｐ３が同時に把持することにより、当該情報表示テープ貼付装置Ｘ、Ｙを、手摺ベルト７４の水平状上（又は下）端部と平行状に配するのが容易、取分け、当該情報表示テープ４５の手摺ベルト７４への貼付作業熟練者による、当該情報表示テープ貼付装置Ｘ、Ｙを、手摺ベルト７４の水平状上（又は下）端部と平行状に暫時（例えば、１０分程度）維持することができる。そうとすれば、前記情報表示テープ貼付装置Ｘ、Ｙの垂直平行状左右側板１、８１の前後把持部６、７を、エスカレータ７０又は動く歩道の乗降床７２に起立する第３操作者Ｐ３が把持し、手摺ベルト７４の水平状上（又は下）端部と平行状に配した後、当該情報表示テープ貼付装置Ｘ、Ｙの左右側板１、８１の上開き案内溝２、８２に回転及び乗降可能に装架したねじ付き回転軸２５上の情報表示テープロール４４から巻き戻した情報表示テープ４５の端部４５Ａを、前記第３操作者Ｐ３とエスカレータ７０の端部を介する対向位置に起立する第４操作者Ｐ４が、前記情報表示テープ貼付装置Ｘ、Ｙ上の情報表示テープロール４４から巻き戻した情報表示テープ４５から、剥離した剥離テープ４９を、第４操作者Ｐ４が当該エスカレータ７０周りの適所へ排出すると共に、剥離テープ４９剥離後の情報表示テープ４５の端部４５Ａを、前記手摺ベルト７４の頂側部７５、７６に緒付した後、第４操作者Ｐ４が、前記手摺ベルト７４の低速駆動可能な切換スイッチＳ、又は当該手摺ベルト７４の連動するエスカレータの低速駆動可能な切換スイッチをオンして低速駆動することにより第３操作者Ｐ３が緒付し、この間に第４操作者Ｐ４が遊離剥離テープ４９Ａをエスカレータ７０周りの適所へ排出する。
【００６９】図２５において、エスカレータ７０（又は動く歩道）の開放された水平状の一端部（上端部又は下端部）の乗降床７２に起立する第３操作者Ｐ３が、情報表示テープ貼付装置Ｘ（情報表示テープ貼付装置Ｙも同様）の垂直平行状左右側板１、８１の前後に設けた間隔調整可能な垂直状ガイドロール１４、１６を、垂直平行状左右側板１、８１の下部同一水平面上に前後一対の可撓性前後ロール２１、２１を備え、当該可撓性前後ロール２１、２１間の垂直平行状左右側板１、同８１の内側に、センタブラシ５０とサイドブラシ５５を順次設けると共に、前記垂直平行状左右側板１、８１の上開き案内溝２、８２に情報表示テープロール４４のねじ付き回転軸２５を昇降及び回転可能に装架した情報表示テープ貼付装置Ｘ、Ｙの前後把持部６、７を把持して、停止する手摺ベルト７４の開放された一端（水平状の上端又は下端）部と平行状に配した後、乗降床７２に起立する第３操作者Ｐ３と、手摺ベルト７４の一（上又は下）端部を挟んでその外側に起立する第４操作者Ｐ４が、前記情報表示テープロール４４と第１スペーサ１７の当接部間から巻き戻して引き出した情報表示テープ４５の端部４５Ａから、さらに剥離テープ４９を剥離して、適所へ排出する一方、剥離テープ４９薄利後の情報表示テープ４５の端部４５Ａを、停止する手摺ベルト７４の端部に貼付した後、第４操作者Ｐ４が手摺ベルト７４の低速駆動切換可能なスイッチＳ、又は当該手摺ベルト７４の連動するエスカレータ７０若しくは動く歩道の低速駆動切換可能なスイッチをオンして、当該手摺ベルト７４を低速で１周させって、情報表示テープ４５を手摺ベルト７４の頂側部７５、７６に貼付し、この間に第４操作者Ｐ４が遊離剥離テープ４９Ａを、当該エスカレータ７０周りに排出する。なお、エスカレータ７０周りに排出した遊離剥離テープ４９Ａは、当該情報表示テープ４５の手摺ベルト７４への貼付終了後、第３、第４操作者Ｐ３、Ｐ４の何れかが収集、処理する。
【００７０】また、エスカレータ７０又は動く歩道の開放された一端部の乗降床７２に起立する第３操作者Ｐ３が、前記情報表示テープ貼付装置Ｘ、Ｙの前後部を把持して、その垂直平行状左右側板１、８１の前部左右に平行状に設けた、下部が上部より凹弧状又は裁頭円錐状１５、１５Ｂに膨出する、垂直状前ガイドロール１４、１４Ｂの凹弧状又は裁頭円錐状膨出部１５、１５Ｂ回りの時計方向（図２４、図２９参照）に回動させて後部を上昇させた後、第４操作者Ｐ４が前記情報表示テープロ−ル４４から巻き戻した情報表示テープ４５の端部４５Ａから、さらに剥離テープ４９を剥離し、剥離後の遊離剥離テープ４９Ａを当該エスカレータ７０周りの適所へ排出する一方、剥離テープ４９剥離後の情報表示テープ４５の端部４５Ａを停止する手摺ベルト７４に貼付４５Ｂした後、第３操作者Ｐ３が後部の上昇する情報表示テープ貼付装置Ｘ、Ｙを反転降下させて、その可撓性前後ロール２１、２１により情報表示テープ４５を停止する手摺ベルト７４の頂側部７５、７６に適度に押圧する状態を確保する一方、第４操作者Ｐ４が前記手摺ベルト７４の低速駆動可能なスイッチＳ、又は当該手摺ベルト７４の連動するエスカレータ７０又は動く歩道の低速駆動可能なスイッチをオンして、当該手摺ベルト７４を低速で一周させて、情報表示テープ４５を手摺ベルト７４の頂部、側部７５、７６に貼付し、この間に第４操作者Ｐ４が遊離剥離テープ４９Ａを適所へ排出する。
【００７１】なお、前記手摺ベルト７４の低速駆動切換可能なスイッチＳ、又は当該手摺ベルト７４の連動するエスカレータ７０又は動く歩道の低速駆動切換可能なスイッチが、手摺ベルト７４又は当該手摺ベルト７４の連動するエスカレータ７０又は動く歩道の一周によりオフする回路構成、例えば、当該手摺ベルト７４の進行に連動して作動するミットスイッチ構成（図示省略）を選択することもできる。また、係る手摺ベルト７４又は当該手摺ベルト７４の連動するエスカレータ７０若しくは動く歩道の一周によりオフするミットスイッチ構成に代えて、第４操作者Ｐ４が前記手摺ベルト７４の低速駆動切換可能なスイッチＳ、又は当該手摺ベルト７４の連動するエスカレータ７０若しくは動く歩道の低速駆動切換可能なスイッチをオンして、当該手摺ベルト７４を低速で一周させて情報表示テープ４５を手摺ベルト７４の頂側部７５、７６に貼付し後、第４操作者Ｐ４が前記手摺ベルト７４の低速駆動切換可能なスイッチＳ、又は当該手摺ベルト７４の連動するエスカレータ７０若しくは動く歩道の低速駆動可能なスイッチをオフして、当該手摺ベルト７４を停止させることもできる。また、係る構成の採用により、仮に、当該情報表示テープ貼付装置による情報表示テープ４５の手摺ベルト７４への貼付工程において、例えば、貼付不良等の異常が発生した際、第３、第４操作者の何れかが、前記低速駆動切換可能なスイッチＳをオフして、当該手摺ベルト７４を停止させ、例えば、第４操作者による情報表示テープの貼付不良の手直し等の、必要な措置を講ずることができる。
【リハビリテーション施設の歩行者誘導装置用手摺への情報表示テープ貼付】
【００７２】図３１は、この発明に係る頂尺材への情報表示テープ貼付装置Ｚ（図３１ではその輪郭を破線で略示したが、その実態は、前記情報表示テープ貼付装置の第１、第２実施態様Ｘ、Ｙの何れかと同様で、情報表示テープ４５（図３１では図示を省略：図２４又は図２８参照）を長尺材としての、例えば、リハビリテーション施設等の歩行者誘導装置９０の、手摺９１の頂側部９２、９３に貼付する要領を略示する模式斜視説明図である。なお、ここでは、情報表示テープ貼付装置Ｚが、前記第１実施態様の情報表示テープ貼付装置Ｘを、前記図２５における第１、第２操作者Ｐ１、Ｐ２による操作要領の、最初の貼付工程を、同図における第１、第２操作者Ｐ１、Ｐ２が、エスカレータ７０の階段７３を降りることに変えて、図３１の手摺９１に沿って押し進めることにより、前者と酷似する要領で、その情報表示テープ４５を、手摺９１の頂側部９２、９３に貼付をすることができることを略説する。前記両実施態様Ｘ、Ｙと共通する部分には、同一名称、同一符号を用い、ここでは、その詳細についての図示及び説明は省略する。
【００７３】図３１において、９１は例えば、リハビリテーション施設の歩行者誘導装置９０の手摺、９２、９３は手摺９１の頂部、側部、９４は手摺９１の支柱、９５は手摺９１の基台、９８は手摺９１の長さ方向の、例えば、中央部から起立する起立掲示物で、係る起立掲示物７８により、情報表示テープ貼付装置Ｚの当該手摺９１に沿う進行が阻止され、その貼付操作が阻害される。この手摺９１の右上（図３１）側の、一端部に情報表示テープ貼付装置Ｚ（前記情報表示テープ貼付装置Ｘ又はＹの何れか）を、前記第１実施態様の手摺ベルト７４への配設と略同要領で配設した後、情報表示テープ貼付装置Ｚを手摺９１中央部の起立掲示物９８まで進行させ、その頂側部９２、９３に情報表示テープ（４５）を、前記と略同要領で貼付する（ただし、ここには、第１実施態様Ｘに係わる、手摺ベルト７４の降り返し部７７に当るものはない）。なお、この情報表示テープ（４５）の情報表示層（４７）の情報自体は、第１実施態様の表示情報の実体とは相違し、例えば、当該リハビリオーション施設に係わる掲示、告示情報等となるのが通常である。この情報表示テープ貼付装置Ｚを手摺９１の長さ方向に沿って所要長さ（例えば、Ｌ１）、同図左側へ進行させて貼付し、残る情報表示テープ（４５）を適宜手段（例えば、鋏）により切断し、その端部を当該手摺９１に、当該操作者（Ｐ１、Ｐ２）の手指又は手持ちブラシ等によりむらなく帖付する。
【００７４】然る後、情報貼付装置Ｚを手摺９１周りから外し、起立掲示物９８より前（図３１では左）側の手摺９１の起立掲示物９８に近接する端部に前記と同様に配し、その情報表示テープ（４５）の端部を、手摺９１の起立掲示物９８周りの端部に貼付した後、手摺９１の長さ方向に押し進めて、その頂側部９２、９３に前記と略同要領で情報表示テープ（４５）を所要長さ（Ｌ２）貼付する。情報表示テープ（４５）貼付後、情報表示テープ貼付装置Ｚを手摺９１周りから取外すと共に、前ハンドル（６）を垂直状右側板前部（１）から外して、垂直左側板（１）の前部外側に取付け（ただし、前ハンドルがシィ直左右ソクバンの前部間にもけられた場合は別）、情報表示テープ貼付装置Ｚを他（図３１では手前）側の手摺９１の端部周りに配し、以後は前記右側手摺９１への情報表示テープ貼付装置Ｚによる貼付要領と略同要領で、他（右）側手摺９１の頂側部９２、９３全長Ｌに情報常時テープ（４５）を貼付する。なお、仮に、当該手摺９１の、起立掲示物９８の立ち上がり部周りに、情報表示テープロール（４４）から巻き戻し、引き出した情報表示テープ（４５）を貼付するスペースを確保できれば、起立掲示物９８の一側から他側へ情報表示テープ貼付装置Ｚを移し替える際、当該情報表示テープ４５を切断することなく、相応長さ巻き戻して手摺９１の頂側部９２、９３に人手により直接押圧、貼付し、隣接領域の手摺９１の頂側部９２、９３に、情報表示テープ（４５）を連続するように貼付できる。
【００７５】なお、この場合における情報表示テープ４５の情報表示層４７に表示される情報が、その長さ方向に非対称形で、当該情報表示層４７の係る方向違いによる何らかの差し障りを招く恐れがあれば、当該情報示テープ貼付装置Ｚを左側手摺９１の左側端部周りに配設することなく、この情報表示テープ貼付装置Ｚを、その第１操作者が把持して、当該歩行者誘導路９０の右側（同図３１）へ戻り、前ハンドル６を対側側板の前外側に取付け（左側手摺９１の右端に配設し）た後、情報表示テープ貼付装置Ｚを左側へ進行させて、左側手摺９１全長の頂側部９２、９３に情報表示テープ４５を、その情報表示層４７の情報表示方向を、前記右側手摺９１への情報表示テープ４５の情報表示層４７と同方向に貼付する。
【００７６】（各種施設、展示物周りの区画柵等への、情報表示テープの貼付）  この情報表示テープ貼付装置は、図示しないが、情報表示テープ４５の情報表示層４７の表示する情報内容を、公園、動植物園等の施設、博物館を始め、各種展示物等周りに係わる情報を選択することにより、当該各種施設や各種展示物等に係わる各種情報を表示する情報表示テープ４５を、情報表示テープ貼付装置Ｚと同様な貼付要領により、当該施設、展示物等に係わる各種情報を、それぞれの区画柵等の、長尺材の頂側部に貼付、表示して、当該施設、展示物等への来訪者等に視認、告知可能にする。
【図面の簡単な説明】
【００７７】
【図１】この発明に係る長尺材への情報表示テープ貼付装置の、第１実施態様の模式側面説明図である。
【図２】その一部を切除して略示する模式正面説明図である。
【図３】情報表示テープロールの一部を切除して略示する模式縦断説明図である。
【図４】センタブラシ及びサイドブラシの模式正面説明図及び要部の模式側面説明図である。
【図５】前後の垂直状ガイドロールホルダの模式平面説明図である。
【図６】ねじ付き回転軸の一部を切除して略示する模式平面説明図である。
【図７】調整用錘の模式側面説明図及び模式正面説明図である。
【図８】テープ押えリングの模式側面説明図及び模式正面説明図である。
【図９】位置合わせリングの模式側面説明図及び模式正面説明図である。
【図１０】情報表示テープロールの半割芯の模式平面図である。
【図１１】情報表示テープロールの半割芯の模式側面図である。
【図１２】情報表示テープロールの半割芯の、起立状態の模式側面説明図で、他の半割り芯を同時に破線で略示し、併せて、図１０のＡ−Ａ線及びＢ−Ｂに沿う断面図を同時に略示した。
【図１３】サイドブラシホルダブラケットの模式平面図で、その模式側面図を同時に略示した。
【図１４】第１（第２）スペーサの模式正面説明図である。
【図１５】その可撓性ロール（芯）の模式正面説明図である。
【図１６】可撓性ロールのスポンジ部の模式縦断説明図である。
【図１７】センタブラシホルダの正面説明図で、その側面説明図を同時に略示した。
【図１８】センタブラシホルダの裏面説明図である。
【図１９】サイドブラシホルダの模式側面説明図及び模式正面説明図である。
【図２０】垂直状前後ガイドロールの模式平面説明図及び模式正面説明図である。
【図２１】垂直状前ガイドロール軸の模式正面図説明図及び模式側面説明図である。
【図２２】情報表示テープの模式平面説明図である。
【図２３】情報表示テープの模式拡大縦断説明図である。
【図２４】長尺材の端部に配した情報表示テープ貼付装置を、前ガイドロール下部の膨出部回りに回動させて後部を上昇させ、情報表示テープロールから引き出した情報表示テープの端部の、長尺材端部への貼付要領の模式側面説明図である。
【図２５】長尺材への情報表示テープ貼付装置の、第１、第２操作者によるエスカレータの手摺ベルト端部への配設要領の模式平面説明図である。同図２５では、エスカレータの昇降床上に起立する第３操作者（２重破線線丸付き）の保持する、長尺材への情報表示テープ貼付装置Ｚに向って、手摺ベルト７４を低速駆動して情報表示テープを貼付し、第３操作者に対向する第４操作者（２重破線線丸付き）が剥離テープを適所へ排出処理する要領を、同時に略示した。
【図２６】この発明に係る長尺材への情報表示テープ貼付装置の、センタブラシの変形例の模式平面説明線図で、手摺ベルトの関連位置を破線で同時に略示した。
【図２７】その垂直状前ガイドロールの変形例の模式平面説明図及び模式正面説明図である。
【図２８】この発明に係る長尺材への情報表示テープ貼付装置を、その情報表示テープロールから引き出した情報表示テープから剥離した遊離剥離テープを、情報表示テープロール周りを１周させた後、当該遊離剥離テープを介して可撓性前後ロールにより、情報表示テープを手摺ベルトへ貼付する要領の模式側面説明図である。
【図２９】この発明に係る長尺材への情報表示テープ貼付装置の、第２実施態様の模式側面説明図である。
【図３０】その一部（左半部）を切除して略示する模式正面説明図である。
【図３１】リハビリテーション施設の歩行者誘導用手摺への、情報表示テープ貼付装置の実施態様の模式斜視説明図である。
【符号の説明】
【００７８】１……垂直状側板（第１実施態様）      １Ｂ……垂直状側板（変形例）
２……上開き案内溝（傾斜）            ２Ｂ……返記案内溝の基部
２ＢＢ……変形上開き案内溝（傾斜）    ３……中高凸状部
４……凸部（ガイドロールカバー）      ５……凹部
６……前ハンドル                      ７……後ハンドル
８、９……取付ねじ                    １０……ガイドロールホルダ
１１……縦穴                          １２……横穴
１３……ねじ                          １４……前ガイドロール
１４Ａ……前ガイドロール軸            １４ＡＢ……前ガイドロール軸穴
１４ＡＣ……前ガイドロール軸下部      １４Ｂ……変形前ガイドロール
１４Ｄ……前ガイドロール軸締めねじ    １４Ｅ……ガイドロール受け平座金
１４Ｆ……Ｃリング（平座金受け）用溝  １４Ｈ……前ガイドロール穴
１５……凹弧状膨出部                  １５Ｂ……裁頭円錐状膨出部
１６……後ガイドロール                １６Ａ……後ガイドロール軸
１６Ｄ……後ガイドロール締めねじ      １６Ｈ……後ガイドロール穴
１７、１８……第１、第２スペーサ      １９、２０……取付ねじ（第１、２スペーサ）
２１……可撓性ロール軸                ２２……スポンジ部
２３……ねじ                          ２５……ねじ付き回転軸
２５Ｂ……ねじ付き回転軸（第２実施態様）２５ＢＢ……カラー（第２実施態様）
２５ＢＣ……カラー止ねじ（第２実施態様）２６……ねじ部
２７……端部軸（小径部）              ２８……テープ押えフランジ
２９……調整錘                        ２９Ａ……締付け穴
３０……情報表示テープロール芯        ３１……半割り芯
３２……半リング状壁（半割り芯）      ３３……端面（半割り芯）
３４……凹部（半割り芯）              ３５……凸部（半割り芯）
３６……切欠部（半割り芯）            ３７……穴（半割り芯）
３８……雌ねじ穴（半割り芯）          ３９……締めねじ（半割り芯）
４０……情報表示テープ押えリング      ４１……位置合わせリング
４２……位置合せ面                    ４４……情報表示テープロール
４５……情報表示テープ                ４５Ａ……情報表示テープ引出部（未貼付）
４５Ｂ……情報表示テープ引出部（貼付状態）
４５ＢＢ…情報表示テープ引出部側縁（貼付状態）
４６……情報表示テープ本体            ４７……情報表示層
４８……接着剤                        ４９……剥離テープ
４９Ａ……遊離剥離テープ              ５０……センタブラシ
５０Ｄ……山形状センタブラシ          ５１……センタブラシホルダ
５１Ａ……センタブラシホルダ切欠面    ５１Ｂ……止ね示ねじ孔
５２……センタブラシ止ねじ            ５３……垂直状センタブラシ足
５５……サイドブラシ                  ５６……サイドブラシホルダ
５７……サイドブラシ止ねじ            ５８……水平状サイドブラシ足
６０……サイドブラシホルダブラケット  ６１、６２……ねじ穴
７０……エスカエータ                  ７１……駆動装置（低速駆動切換可能型）
７２……乗降床                        ７３……階段
７４……手摺ベルト（長尺材）          ７５……頂部（手摺ベルト）
７６……側部（手摺ベルト）            ７７……折り返し部（手摺ベルト）
８１……垂直状側板（第２実施態様）    ８２……上開き案内溝
８３……前高凸弧状部（垂直状側板８１）９０……歩行者誘導装置
９１……手摺                          ９２……手摺頂部
９３……手摺側部                      ９４……手摺支柱
９５……手摺基台                      ９８……起立掲示物（貼付障害物）
Ｂ……手摺ベルト幅                    Ｃ……手摺ベルト厚さ
Ｅ……回転方向（情報表示テープロール）
Ｆ……進行方向（情報表示テープ貼付装置）ＨＡ……低速手摺ベルトの進行方向
Ｋ……残留空気                        Ｌ……手摺長さ
Ｌ１……手摺前部長さ                  Ｌ２……手摺後部長さ
Ｔ……センタブラシ長さ（幅）          Ｐ１……第１操作者（移動）
Ｐ１Ａ……左腕（第１操作者）          Ｐ１Ｂ……右腕（第１操作者）
Ｐ２……第２操作者（移動）            Ｐ３……第３操作者（停止）
Ｐ４……第４操作者（停止）            Ｔ……サイドブラシ長さ（高さ）
Ｓ……低速駆動切換可能なスイッチ      Ｗ……センタブラシ長さ（幅）
ｗ……情報標示テープロールの重量
Ｘ……情報表示テープ貼付装置（第１実施態様）
Ｙ……情報表示テープ貼付装置（第２実施態様）
Ｚ……情報表示テープ貼付装置（第３実施態様）
【図１】
2007176699.tif 000021
【図２】
2007176699.tif 000022
【図３】
2007176699.tif 000023
【図４】
2007176699.tif 000024
【図５】
2007176699.tif 000025
【図６】
2007176699.tif 000026
【図７】
2007176699.tif 000027
【図８】
2007176699.tif 000028
【図９】
2007176699.tif 000029
【図１０】
2007176699.tif 000030
【図１１】
2007176699.tif 000031
【図１２】
2007176699.tif 000032
【図１３】
2007176699.tif 000033
【図１４】
2007176699.tif 000034
【図１５】
2007176699.tif 000035
【図１６】
2007176699.tif 000036
【図１７】
2007176699.tif 000037
【図１８】
2007176699.tif 000038
【図１９】
2007176699.tif 000039
【図２０】
2007176699.tif 000040
【図２１】
2007176699.tif 000041
【図２２】
2007176699.tif 000042
【図２３】
2007176699.tif 000043
【図２４】
2007176699.tif 000044
【図２５】
2007176699.tif 000045
【図２６】
2007176699.tif 000046
【図２７】
2007176699.tif 000047
【図２８】
2007176699.tif 000048
【図２９】
2007176699.tif 000049
【図３０】
2007176699.tif 000050
【図３１】
2007176699.tif 000051